(57)【要約】【解決手段】  特に尿等の液体を受け取り収容する二重チャンバー装置は、脱着可能なトップカバー及び内部横断漏斗形状の壁を有する略円柱ボディを用いる。横断壁は、中央円形オリフィスを持ち、各々前流れ及び中間点の尿液体サンプルを収容する下側及び上側チャンバーへとボディを分割する。下側チャンバーの浮上可能なオリフィスストッパーは、オリフィスを閉鎖するための所定の高さに下側チャンバーを充填する前流れ液体に応答し、引き続く中間点流れ尿液体が上側チャンバー内に収容される。オリフィスストッパーの下方の環状フロートは、オリフィスの適切なストッパー閉鎖を確実にする。底カバーは、直立ストッパー押しコラムと、カバー周辺部に隣接した可撓性のスプリング状環状ウェブとを有する。尿液体が装置内に収集され、装置が底カバーへと下方に押されるとき、ウェブは撓み、底カバーコラムがストッパーをオリフィス内へとしっかりと押しやり、２つのチャンバー間の漏れを防止するため中心を超えてストッパーをオリフィス内へと係止させる。尿液体解放式圧縮スプリング、尿液体膨張式親水性材料、尿液体活性化沸騰性錠剤、磁石要素及び尿液体活性化接着を含む、ストッパーをオリフィス内に係止する他の機構が開示される。底カバーが撓んでストッパーをオリフィス内に押しやるとき、下側チャンバーの所定の尿レベルの上方にある装置ボディの顕微鏡的孔が下側チャンバーから空気圧力を排気する。【選択図】図１
2007527519.tif 000002
【特許請求の範囲】
【請求項１】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にする、前記横断内側壁と、
（ｄ）  前記オリフィスの回りを取り囲む環状の垂れ下がり係止フランジであって、該フランジは、狭い内側環状係止凹部を有するように形成されている、前記係止フランジと、
（ｅ）  前記下側チャンバー内に配置されたオリフィスストッパーであって、該ストッパーは、該ストッパーを前記オリフィスとの密封係合状態へと浮上させて前記下側チャンバー内への液体流れを防止するため所定の高さにまで前記下側チャンバーを充填する液体に応答し、前記ストッパーは、該ストッパーが前記オリフィス内にしっかりと受け入れられるとき前記係止フランジ環状凹部内に掛かり止めするように形成された幅の狭い外側環状ビードを有する、前記オリフィスストッパーと、
を備える、二重チャンバー液体受け取り保持装置。
【請求項２】
前記オリフィスは、円形形状で、前記横断壁の中央に配置されており、前記ストッパーは、上側円錐オリフィス密封領域を有して形成されている、請求項１に記載の二重チャンバー液体受け取り保持装置。
【請求項３】
前記コンテナ外側壁は、略円柱状の形状をなす、請求項１に記載の二重チャンバー液体受け取り保持装置。
【請求項４】
前記ストッパーは、外側に拡がった円形スカート領域を有して形成され、該ストッパーに浮上時の安定性を提供するため該円形スカート領域の下方に配置されたフロートを備える、請求項１に記載の二重チャンバー液体受け取り保持装置。
【請求項５】
前記フロートは、リング形状であり、前記下側チャンバー内で所定の液体の高さを提供するため選択された高さを有する、請求項４に記載の二重チャンバー液体受け取り保持装置。
【請求項６】
前記装置ボディは、前記開放底部に隣接してその外側の回りに幅の狭いビードを備え、前記底カバーは、前記ボディへの前記底カバーの取り付けのため前記ボディビードを超えて上方にスナップするように構成されている、請求項１に記載の二重チャンバー液体受け取り保持装置。
【請求項７】
前記底カバーを超えて適合するようにサイズが定められた底カバー係止リングを備え、該底カバー係止リングは、該底カバーを前記ボディにしっかりと固定するため前記ボディにねじ込んで取り付けることができるように該ボディの形態に連係して構成されている、請求項６に記載の二重チャンバー液体受け取り保持装置。
【請求項８】
前記開放頂部を通して前記装置内に収容される液体の強力な流れを逸らすための手段を備え、該手段は、前記下側チャンバー内に収容された液体が前記ストッパーを前記オリフィス内に浮上させたとき該ストッパーが該オリフィス内へと堅く密封することを防止する、請求項１に記載の二重チャンバー液体受け取り保持装置。
【請求項９】
前記逸れ手段は、前記トップカバーの代わりに前記装置ボディの前記開放頂部に取り外し可能に取り付けられた取り付け部材と、前記部材が前記装置ボディに取り付けられるとき及び前記下側チャンバー内に収容された液体により前記ストッパーが前記オリフィス内へと浮上されるとき前記ストッパーの直接上方の位置に前記取り付け部材に取り付けられたドーム形状の要素と、を備え、該ドーム形状の要素は、前記装置内に受け入れられる液体の前記強力な流れを前記オリフィスを取り囲む前記横断壁の領域へと逸らすように形成されている、請求項８に記載の二重チャンバー液体受け取り保持装置。
【請求項１０】
ハンドルと、該ハンドルを前記取り付け部材に脱着可能に取り付けるための手段とを備える、請求項８に記載の二重チャンバー液体受け取り保持装置。
【請求項１１】
前記上側チャンバーと前記下側チャンバーとの間で液体が漏れないことを確保するように前記ストッパーを前記オリフィスとの緊密な密封関係へと押しやるための手段を備える、請求項１に記載の二重チャンバー液体受け取り保持装置。
【請求項１２】
前記ストッパー押し手段は、下方に延在する底カバー領域の回りに前記底カバー内に形成された環状のスプリング状の可撓性ウェブを備え、該ウェブは、前記装置を前記下方に延在する底カバー領域へと下方に押すことに応答して、前記底カバーの中央直立領域を前記ストッパーと係合させて該ストッパーを前記オリフィス内へと上方に押しやり、該ストッパーを通る液体漏れに対抗して前記オリフィスをしっかりと密封するため前記ストッパー外側環状ビードを前記係止フランジ環状凹部内に掛かり止めする態様で上方に撓む、請求項１１に記載の二重チャンバー液体受け取り保持装置。
【請求項１３】
前記底カバー直立領域が前記ストッパーを前記オリフィス内にしっかりと押しやって前記ストッパー外側環状ビードを前記係止フランジ環状凹部内に掛かり止めさせるため前記ウェブが上方に撓むとき、該ウェブは、前記上側チャンバー及び前記下側チャンバーの間で前記ストッパーを超えて液体が漏れないことを確実にするように、前記ストッパーを前記オリフィス内に係止させるため中心を超えて固定し、前記ストッパー外側環状ビードを前記係止フランジ環状凹部内に掛かり止めする、請求項１２に記載の二重チャンバー液体受け取り保持装置。
【請求項１４】
前記下方に延在する底カバー領域に取り付けるようにサイズが定められた底カバー延長部を備え、該底カバー延長部は、より大きな装置ボディの設置面積と、前記下方に延在する底カバー領域に追加の高さとを提供するようにサイズが定められ、それにより前記ストッパーの前記オリフィス内への係止を確実にするため前記ウェブの前記中心を超えた固定と前記ストッパー外側環状ビードの前記係止フランジ環状凹部内への係止とを確保する、請求項１３に記載の二重チャンバー液体受け取り保持装置。
【請求項１５】
前記ストッパー押し手段は、前記ストッパーの下方で前記下側チャンバー内に配置されたスプリングを備え、該スプリングは、繊維ディスクにより圧縮状態に保持され、該繊維ディスクは、前記スプリングをその圧縮状態から解放するのに十分に該ディスクを柔らかくする所定長さの時間に亘って、前記下側チャンバー内に収容された水性液体との接触に応答し、それにより該スプリングが前記ストッパーと係合して該ストッパーを前記オリフィス内に上方に押しやり、前記オリフィスをしっかりと密封するため前記ストッパー外側環状ビードを前記係止フランジ環状凹部内に掛かり止めするようにした、請求項１１に記載の二重チャンバー液体受け取り保持装置。
【請求項１６】
前記所定の長さの時間は、約２０秒である、請求項１５に記載の二重チャンバー液体受け取り保持装置。
【請求項１７】
前記ストッパーを前記オリフィス内にしっかりと押しやり、前記ストッパー外側環状ビードを前記係止フランジ環状凹部内に掛かり止めするため、前記スプリングがその圧縮状態から解放され、該解放されたスプリングは、前記ストッパーを前記オリフィス内に係止し、前記ストッパー外側環状ビードの前記係止フランジ環状凹部内への掛かり止めをもたらし、前記上側チャンバー及び前記下側チャンバーの間で前記ストッパーを通って液体が漏れないことを確実にするようにした、請求項１５に記載の二重チャンバー液体受け取り保持装置。
【請求項１８】
前記ストッパー押し手段は、前記ストッパーの下方で前記下側チャンバー内に配置された、水性液体で非常に膨張することが可能な親水性要素を備え、該親水性要素は、前記下側チャンバー内に収容された水性液体との接触に応答し、それにより該要素を前記ストッパーとの接触状態へと非常に膨張させ、該ストッパーを前記オリフィス内に上方に押しやり、前記オリフィスをしっかりと密封するため前記ストッパー外側環状ビードを前記係止フランジ環状凹部内に掛かり止めさせる、請求項１１に記載の二重チャンバー液体受け取り保持装置。
【請求項１９】
前記親水性要素が、前記ストッパーを前記オリフィス内に上方に押しやり、前記ストッパー外側環状ビードを前記係止フランジ環状凹部内に掛かり止めさせるとき、膨張した前記親水性要素は、前記ストッパーを前記オリフィス内に係止し、前記ストッパー外側環状ビードの前記係止フランジ環状凹部内への掛かり止めをもたらし、前記上側チャンバー及び前記下側チャンバーの間で前記ストッパーを通って液体が漏れないことを確実にするようにした、請求項１８に記載の二重チャンバー液体受け取り保持装置。
【請求項２０】
前記ストッパー押し手段は、前記ストッパーの下方で前記下側チャンバー内に配置された、液体溶解性の沸騰性錠剤を備え、該沸騰性錠剤は、前記下側チャンバー内に収容された水性液体との接触に応答して前記ストッパーと接触するように上昇する大量のガス気泡を提供し、それにより該ストッパーを前記オリフィス内に上方に押しやり、前記オリフィスをしっかりと密封するため前記ストッパー外側環状ビードを前記係止フランジ環状凹部内に掛かり止めさせる、請求項１１に記載の二重チャンバー液体受け取り保持装置。
【請求項２１】
前記ストッパー押し手段は、前記底カバーを通って上方に延在する中央領域を有する２次的な底カバーを備え、該中央領域は、細長い直立ストッパー係合ピンを有し、前記底カバーと前記２次的な底カバーとの間に配置された取り外し可能なスペーサーを備えて使用前にそれらのカバー間で分離を維持し、前記装置及び内部に含まれる液体の使用後の重量が、前記スペーサーが除去されたとき、前記ストッパーを前記オリフィス内に押しやるように前記２次的底カバーピンを上方に移動させ、前記オリフィスをしっかりと密封するため前記ストッパー外側環状ビードを前記係止フランジ環状凹部内に掛かり止めさせる、請求項１１に記載の二重チャンバー液体受け取り保持装置。
【請求項２２】
前記スペーサーが除去され、前記２次的底カバーピンが前記ストッパーを前記オリフィス内にしっかりと押しやり、前記ストッパー外側環状ビードを前記係止フランジ環状凹部内に掛かり止めし、前記装置が前記２次底カバー上に下方に押圧された後、該２次的底カバーは、前記底カバーに亘って上方にスナップさせられ、該２次的底カバーピンに前記ストッパーを前記オリフィス内に係止させ、前記ストッパー外側環状ビードを前記係止フランジ環状凹部内に掛かり止めさせ、それにより、前記上側チャンバー及び前記下側チャンバーの間で前記ストッパーを通って液体が漏れないことを確実にするようにした、請求項２１に記載の二重チャンバー液体受け取り保持装置。
【請求項２３】
前記ストッパー押し手段は、前記ストッパーに固定された磁石要素と、前記オリフィスに隣接して前記横断壁に固定された別の磁石要素と、を備え、前記オリフィス内への前記ストッパーの使用前の磁気吸引を防止するため前記ストッパー及び前記オリフィスの間に配置された取り外し可能なスペーサーを備え、液体が、前記ストッパーを前記オリフィス内へと浮上させる程度に前記下側チャンバー内に導入されたとき、前記ストッパーは、前記オリフィス内へとしっかりと磁気的に引っ張られ、前記ストッパー外側環状ビードは、前記オリフィスをしっかりと密封するように前記磁石要素により前記係止フランジ環状凹部内に掛かり止めされる、請求項１１に記載の二重チャンバー液体受け取り保持装置。
【請求項２４】
前記ストッパーが前記オリフィス内にしっかりと磁気的に引っ張られ、前記ストッパー外側環状ビードが前記係止フランジ環状凹部内に掛かり止めされるとき、前記磁石要素は、前記上側チャンバー及び前記下側チャンバーの間で前記ストッパーを通って液体が漏れないことを確実にするように、前記ストッパーを前記オリフィス内に係止し、前記ストッパー外側環状ビードを前記係止フランジ環状凹部内に掛かり止めする、請求項２３に記載の二重チャンバー液体受け取り保持装置。
【請求項２５】
前記オリフィスの回りで前記横断壁に塗布された水性液体活性化接着剤を備え、前記オリフィス内への前記ストッパーの装置使用前の接着を防止するため前記ストッパー及び前記オリフィスの間に配置された取り外し可能なスペーサーを備え、液体が、前記ストッパーを前記オリフィス内へと浮上させるように前記下側チャンバー内に導入されたとき、前記接着剤が活性化され、これによって前記上側チャンバー及び前記下側チャンバーの間で前記ストッパーを通って液体が漏れないことを確実にするように前記ストッパーを前記オリフィス内に係止する、請求項１に記載の二重チャンバー液体受け取り保持装置。
【請求項２６】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にする、前記横断内側壁と、
（ｄ）  前記オリフィスの回りを取り囲む環状の垂れ下がり係止フランジであって、該フランジは、狭い内側環状係止凹部を有するように形成されている、前記フランジと、
（ｅ）  前記下側チャンバー内に配置されたオリフィスストッパーであって、該ストッパーは、該ストッパーを前記オリフィスとの密封係合状態へと浮上させて前記下側チャンバー内への液体流れを防止するため所定の高さにまで前記下側チャンバーを充填する液体に応答し、前記ストッパーは、該ストッパーが前記オリフィス内にしっかりと受け入れられるとき前記係止フランジ環状凹部内に掛かり止めするように形成された幅の狭い外側環状ビードを有する、前記オリフィスストッパーと、
（ｆ）  前記下側チャンバー内に収容された液体が前記ストッパーを前記オリフィス内に浮上させるとき、前記ストッパーが前記オリフィス内にしっかりと密封することを防止するように前記開放頂部を通って前記装置内に受け入れられる液体の強力な流れを逸らすための手段であって、該逸れ手段は、前記トップカバーの代わりに前記装置ボディの前記開放頂部に取り外し可能に取り付けられた取り付け部材と、前記部材が前記装置ボディに取り付けられるとき及び前記下側チャンバー内に収容された液体により前記ストッパーが前記オリフィス内へと浮上されるとき前記ストッパーの直接上方の位置にあるように前記取り付け部材に取り付けられたドーム形状の要素と、を備え、該ドーム形状の要素は、前記装置内に受け入れられる液体の前記強力な流れを前記オリフィスを取り囲む前記横断壁の領域へと逸らすように形成されている、前記逸れ手段と、
（ｇ）  ハンドルと、該ハンドルを前記取り付け部材に脱着可能に取り付けるための手段と、
を備える、二重チャンバー液体受け取り保持装置。
【請求項２７】
前記装置ボディは、剛性プラスチック材料から構成されている、請求項１に記載の二重チャンバー液体受け取り保持装置。
【請求項２８】
前記剛性プラスチック材料は、高密度のポリプロピレンを含む、請求項２７に記載の二重チャンバー液体受け取り保持装置。
【請求項２９】
前記上側及び下側チャンバーは、尿収集のための前記装置で使用するため、各々、約８０ｍｌ及び約１００ｍｌの体積を有する、請求項１に記載の二重チャンバー液体受け取り保持装置。
【請求項３０】
細長いハンドルと、前記コンテナ外側壁の上側領域に該ハンドルを脱着可能に取り付けるための手段とを備え、該上側領域から該ハンドルが略径方向に突出するようにした、請求項１に記載の二重チャンバー液体受け取り保持装置。
【請求項３１】
前記ハンドルは、該ハンドルが前記コンテナ外側壁に取り付けられたとき上方向及び外側方向に角度をなす把持領域を有して形成される、請求項３０に記載の二重チャンバー液体受け取り保持装置。
【請求項３２】
前記下側チャンバーの領域内で前記コンテナ外側壁に設置されたエラストマー部材を備え、該エラストマー部材は、前記下側チャンバーから液体を取り出すことを可能にするように皮下注射器針により突き刺し可能である、請求項１に記載の二重チャンバー液体受け取り保持装置。
【請求項３３】
前記エラストマー要素は、皮下注射器針を突き刺し箇所から引き抜いた後、自動的に密封される、請求項３２に記載の二重チャンバー液体受け取り保持装置。
【請求項３４】
前記エラストマー要素を確実に覆うカバーを備え、該カバーは、前記エラストマー要素から脱着可能であるが、取り外し後には該エラストマー要素に再取り付けできなくなり、これにより、前記下側チャンバー内の液体に手を加えたという視覚的表示を提供する、請求項３２に記載の二重チャンバー液体受け取り保持装置。
【請求項３５】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、該ストッパーを前記オリフィスとの密封係合状態へと浮上させて前記下側チャンバー内への液体流れを防止するため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
を備える、二重チャンバー液体受け取り保持装置。
【請求項３６】
前記コンテナ外側壁は、略円柱形状である、請求項３５に記載の二重チャンバー液体受け取り保持装置。
【請求項３７】
前記装置ボディは、略円柱形状であり、前記開放底部に隣接してその外側の回りに形成された幅狭いビードを備え、前記底カバーは、該底カバーを前記ボディに取り付けるため前記ボディビードを超えて上方にスナップするように構成され、前記底カバーを超えて適合するようにサイズが定められた底カバー係止リングを備え、該底カバー係止リングは、該底カバーを前記ボディにしっかりと固定するため前記ボディにねじ込んで取り付けることができるように該ボディの形態に連係して構成されている、請求項３５に記載の二重チャンバー液体受け取り保持装置。
【請求項３８】
前記装置ボディは、高密度のポリプロピレンプラスチック材料から形成される、請求項３５に記載の二重チャンバー液体受け取り保持装置。
【請求項３９】
前記上側及び下側チャンバーは、尿収集のための前記装置で使用するため、各々、約８０ｍｌ及び約１００ｍｌの体積を有する、請求項３５に記載の二重チャンバー液体受け取り保持装置。
【請求項４０】
細長いハンドルと、前記コンテナ外側壁の上側領域に該ハンドルを脱着可能に取り付けるための手段とを備え、該上側領域から該ハンドルが略径方向に突出するようにし、前記ハンドルは、該ハンドルが前記コンテナ外側壁に取り付けられたとき上方向及び外側方向に角度をなす把持領域を有して形成される、請求項３５に記載の二重チャンバー液体受け取り保持装置。
【請求項４１】
前記下側チャンバーの領域内で前記コンテナ外側壁に設置されたエラストマー部材を備え、該エラストマー部材は、前記下側チャンバーから液体を取り出すことを可能にするように皮下注射器針により突き刺し可能であり、前記エラストマー要素は、皮下注射器針を突き刺し箇所から引き抜いた後、自動的に密封され、該エラストマー要素を確実に覆うカバーを備え、該カバーは、該エラストマー要素から脱着可能であるが、取り外し後には該エラストマー要素に再取り付けできなくなり、これにより、前記下側チャンバー内の液体に手を加えたという視覚的表示を提供する、請求項３５に記載の二重チャンバー液体受け取り保持装置。
【請求項４２】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、前記下側チャンバー内への液体流れを防止するため該ストッパーの前記上側円錐オリフィス密封領域が前記オリフィスと係合するように前記ストッパーを浮上させるため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
（ｆ）  前記ストッパーを前記オリフィスとの緊密な密封関係へと押しやるための手段であって、該手段は、下方に延在する底カバー領域の回りに前記底カバー内に形成された環状のスプリング状の可撓性ウェブを備え、該ウェブは、前記装置を前記下方に延在する底カバー領域へと下方に押すことに応答して、前記底カバーの中央直立領域を前記ストッパーと係合させて該ストッパーを前記オリフィス内へと上方に押しやり、該ストッパーを通る液体漏れに対抗して前記オリフィスをしっかりと密封する態様で上方に撓む、前記手段と、
を備える、二重チャンバー液体受け取り保持装置。
【請求項４３】
前記ウェブが上方に撓んで前記底カバー直立領域に前記ストッパーを前記オリフィス内にしっかりと押しやらせるとき、前記ウェブは、前記ストッパーを前記オリフィス内に係止させるため中心を超えて係止し、液体が前記上側チャンバー及び前記下側チャンバーの間で前記ストッパーを超えて漏れないことを確実にするようにした、請求項４２に記載の二重チャンバー液体受け取り保持装置。
【請求項４４】
前記下方に延在する底カバー領域に取り付けるようにサイズが定められた底カバー延長部を備え、該底カバー延長部は、前記下方に延在する底カバー領域により大きい装置ボディの設置面積及び追加の高さを提供するようにサイズが定められ、前記ウェブの前記中心を超えた係止を確実にし、前記ストッパーの前記オリフィス内への安全な係止を確実にするようにした、請求項４３に記載の二重チャンバー液体受け取り保持装置。
【請求項４５】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、前記下側チャンバー内への液体流れを防止するため該ストッパーの前記上側円錐オリフィス密封領域が前記オリフィスと係合するように前記ストッパーを浮上させるため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
（ｆ）  前記ストッパーを前記オリフィスとの緊密な密封関係へと押しやるための手段であって、該ストッパー押し手段は、前記ストッパーの下方に前記下側チャンバー内に配置されたスプリングを備え、該スプリングは、繊維ディスクにより圧縮された状態で保持され、該繊維ディスクは、少なくとも２０秒間に亘って前記下側チャンバー内に収容された水性液体による接触に応答し、それにより前記ディスクは前記スプリングをその圧縮状態から解放するのに十分に柔らかくなり、前記ストッパーと係合し、該ストッパーを前記オリフィス内にしっかりと密封するため該オリフィス内へと上方に押しやるようにした、前記手段と、
を備える、二重チャンバー液体受け取り保持装置。
【請求項４６】
前記スプリングがその圧縮状態から解放されて前記ストッパーを前記オリフィス内にしっかりと押しやるとき、前記解放されたスプリングは、前記ストッパーを前記オリフィス内に係止し、液体が前記上側チャンバー及び前記下側チャンバーの間で前記ストッパーを超えて漏れないことを確実にするようにする、請求項４５に記載の二重チャンバー液体受け取り保持装置。
【請求項４７】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、前記下側チャンバー内への液体流れを防止するため該ストッパーの前記上側円錐オリフィス密封領域が前記オリフィスと係合するように前記ストッパーを浮上させるため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
（ｆ）  前記ストッパーを前記オリフィスとの緊密な密封関係へと押しやるための手段であって、該ストッパー押し手段は、前記ストッパーの下方に前記下側チャンバー内に配置された親水性要素を備え、該親水性要素は、前記下側チャンバー内に収容された水性液体による接触に応答して、該要素は前記ストッパーと接触した状態となるように非常に膨張されて前記ストッパーを前記オリフィス内にしっかりと密封するため該オリフィス内へと上方に押しやるようにした、前記手段と、
を備える、二重チャンバー液体受け取り保持装置。
【請求項４８】
前記親水性要素が非常に膨張して前記ストッパーを前記オリフィス内にしっかりと押しやるとき、前記膨張した親水性要素は、前記ストッパーを前記オリフィス内に係止し、液体が前記上側チャンバー及び前記下側チャンバーの間で前記ストッパーを超えて漏れないことを確実にするようにする、請求項４７に記載の二重チャンバー液体受け取り保持装置。
【請求項４９】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、前記下側チャンバー内への液体流れを防止するため該ストッパーの前記上側円錐オリフィス密封領域が前記オリフィスと係合するように前記ストッパーを浮上させるため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
（ｆ）  前記ストッパーを前記オリフィスとの緊密な密封関係へと押しやるための手段であって、該ストッパー押し手段は、前記ストッパーの下方に前記下側チャンバー内に配置された液体溶解性の沸騰性錠剤を備え、該沸騰性錠剤は、前記下側チャンバー内に収容された水性液体との接触に応答して前記ストッパーと接触するように上昇する大量のガス気泡を提供し、それにより前記オリフィスをしっかりと密封するため前記ストッパーを該オリフィス内に上方に押しやるようにした、前記手段と、
を備える、二重チャンバー液体受け取り保持装置。
【請求項５０】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、前記下側チャンバー内への液体流れを防止するため該ストッパーの前記上側円錐オリフィス密封領域が前記オリフィスと係合するように前記ストッパーを浮上させるため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
（ｆ）  前記ストッパーを前記オリフィスとの緊密な密封関係へと押しやるための手段であって、該ストッパー押し手段は、前記底カバーを通って上方に延在する中央領域を有する２次的な底カバーを備え、該中央領域は、細長い直立ストッパー係合ピンを有し、前記底カバーと前記２次的な底カバーとの間に配置された取り外し可能なスペーサーを備えて使用前にそれらのカバー間で分離を維持し、前記装置及び内部に含まれる液体の使用後の重量が、前記スペーサーが除去されたとき、前記ストッパーを前記オリフィス内に押しやるように前記２次的底カバーピンを上方に移動させ、前記オリフィスをしっかりと密封させる、前記手段と、
を備える、二重チャンバー液体受け取り保持装置。
【請求項５１】
前記スペーサーが除去され、前記２次的底カバーピンが前記ストッパーを前記オリフィス内にしっかりと押しやり、前記装置が前記２次底カバー上に下方に押圧された後、該２次的底カバーは、前記底カバーに亘って上方にスナップさせられ、該２次的底カバーピンに前記ストッパーを前記オリフィス内に係止させ、それにより、前記上側チャンバー及び前記下側チャンバーの間で前記ストッパーを通って液体が漏れないことを確実にするようにした、請求項５０に記載の二重チャンバー液体受け取り保持装置。
【請求項５２】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、前記下側チャンバー内への液体流れを防止するため該ストッパーの前記上側円錐オリフィス密封領域が前記オリフィスと係合するように前記ストッパーを浮上させるため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
（ｆ）  前記ストッパーを前記オリフィスとの緊密な密封関係へと押しやるための手段であって、該ストッパー押し手段は、前記ストッパーに固定された磁石要素と、前記オリフィスに隣接して前記横断壁に固定された別の磁石要素と、を備え、前記オリフィス内への前記ストッパーの装置使用前の磁気吸引を防止するため前記ストッパー及び前記オリフィスの間に配置された取り外し可能なスペーサーを備え、液体が、前記ストッパーを前記オリフィス内へと浮上させる程度に前記下側チャンバー内に導入されたとき、前記ストッパーは、前記磁石要素により前記オリフィス内へとしっかりと磁気的に引っ張られ、前記オリフィスをしっかりと密封する、前記手段と、
を備える、二重チャンバー液体受け取り保持装置。
【請求項５３】
前記ストッパーが前記オリフィス内にしっかりと磁気的に引っ張られるとき、前記磁石要素は、前記上側チャンバー及び前記下側チャンバーの間で前記ストッパーを通って液体が漏れないことを確実にするように、前記ストッパーを前記オリフィス内に係止する、請求項５２に記載の二重チャンバー液体受け取り保持装置。
【請求項５４】
二重チャンバー液体受け取り保持装置であって、
（ａ）  連続的な外側壁、開放頂部及び開放底部を有する、液体受け取り保持ボディと、
（ｂ）  前記ボディのための、脱着可能なトップカバー及び脱着可能な底カバーと、
（ｃ）  前記ボディを上側液体受け取り保持チャンバーと下側液体受け取り保持チャンバーとに分割する略漏斗形状の横断内側壁であって、該横断内側壁は、横断内側壁オリフィスに向かって下方へとテーパーが形成されて、前記上側及び下側のチャンバー間の液体流れの連通を可能にし、前記オリフィスは円形に形成され、前記横断壁の中央に配置されている、前記横断内側壁と、
（ｄ）  前記下側チャンバー内に配置されたオリフィスストッパーであって、該ストッパーは、上側円錐オリフィス密封領域を有し、該ストッパーは、前記下側チャンバー内への液体流れを防止するため該ストッパーの前記上側円錐オリフィス密封領域が前記オリフィスと係合するように前記ストッパーを浮上させるため所定の高さにまで前記下側チャンバーを充填する液体に応答し、該ストッパーは、外側に拡がった円形スカート領域を有して形成される、前記オリフィスストッパーと、
（ｅ）  前記ストッパーに浮上安定性を提供するため前記円形スカート領域の下方に配置されたフロートであって、該フロートは、リング状に形成され、前記下側チャンバー内で所定の液体高さを提供するように選択された高さを有する、前記フロートと、
（ｆ）  前記ストッパーを前記オリフィスとの緊密な密封関係へと押しやるための手段であって、該ストッパー押し手段は、前記オリフィスの回りで前記横断壁に塗布された水性液体活性化接着剤を備え、前記オリフィス内への前記ストッパーの装置使用前の接着を防止するため前記ストッパー及び前記オリフィスの間に配置された取り外し可能なスペーサーを備え、液体が、前記ストッパーを前記オリフィス内へと浮上させるように前記下側チャンバー内に導入されたとき、前記接着剤が活性化され、これによって前記上側チャンバー及び前記下側チャンバーの間で前記ストッパーを通って液体が漏れないことを確実にするように前記ストッパーを前記オリフィス内に係止する、前記手段と、
を備える、二重チャンバー液体受け取り保持装置。
【請求項５５】
前記オリフィスの回りを取り囲む環状の垂れ下がり係止フランジを備え、該フランジは、狭い内側環状係止凹部を有するように形成され、前記ストッパーは、該ストッパーが前記オリフィス内にしっかりと受け入れられるとき前記係止フランジ環状凹部内に掛かり止めするように形成された幅の狭い外側環状ビードを有して形成されている、請求項４２、４５、４７、５０及び５２に記載の二重チャンバー液体受け取り保持装置。
【請求項５６】
二重チャンバー液体受け取り保持装置であって、
（ｆ）  連続的な外側壁、開放頂部及び開放底部を有する、液体受け取り保持ボディと、
（ｇ）  前記ボディを上側液体受け取り保持チャンバーと下側液体受け取り保持チャンバーとに分割する略漏斗形状の横断内側壁であって、該横断内側壁は、前記上側及び下側のチャンバー間の液体流れの連通を可能にする中央オリフィスを有する、前記横断内側壁と、
（ｈ）  前記オリフィスの下方で前記下側チャンバー内に配置されたオリフィスストッパーであって、該ストッパーは、前記下側チャンバー内への液体流れを停止させるため該ストッパーが前記オリフィスと係合するように前記ストッパーを浮上させるため所定の高さにまで前記下側チャンバーを充填する液体に応答する、前記オリフィスストッパーと、
（ｉ）  脱着可能なボディトップカバーと、
（ｊ）  下方に延在する底カバー領域の回りに形成された環状のスプリング状の可撓性ウェブを有する脱着可能なボディ底カバーであって、該ウェブは、前記装置を前記下方に延在する底カバー領域へと下方に押すことに応答して、前記底カバーの中央直立領域を前記ストッパーと係合させて該ストッパーを前記オリフィス内へと上方に押しやる態様で上方に撓む、前記ボディ底カバーと、
（ｋ）  前記装置が前記下方に延在する底カバー領域上に下方に押され、前記可撓性ウェブが上方に撓み、これにより下側チャンバーの体積を減少させるとき、前記下側チャンバー内の空気圧力を解放させるための手段と、
を備える、二重チャンバー液体受け取り保持装置。
【請求項５７】
前記下方に延在する底カバー領域に取り付けるようにサイズが定められた底カバー延長部を備え、該底カバー延長部は、より大きな装置ボディの設置面積と、前記下方に延在する底カバー領域に追加の高さとを提供するようにサイズが定められ、それにより前記ウェブの前記中心を超えた固定と前記ストッパーの前記オリフィス内への安全な係止とを確実にするようにした、請求項５６に記載の二重チャンバー液体受け取り保持装置。
【請求項５８】
前記アパーチャ解放手段は、前記所定の液体高さを事実上超えたところに前記装置ボディの側壁を貫通して前記下側チャンバー内に形成された顕微鏡サイズのピンホールを備える、請求項５６に記載の二重チャンバー液体受け取り保持装置。
【請求項５９】
前記ピンホールは、約０．０１ｍｍ乃至約０．０５ｍｍの間の直径を有する、請求項５８に記載の二重チャンバー液体受け取り保持装置。
【請求項６０】
前記底カバーを超えて適合するようにサイズが定められ、該底カバーを前記ボディにしっかりと係止するため該ボディにねじ込んで取り付けるように構成されている、底カバー係止リングを備えている、請求項５６に記載の二重チャンバー液体受け取り保持装置。
【請求項６１】
二重チャンバー液体受け取り保持装置であって、
（ａ）  開放頂部及び開放底部を有する、液体受け取り保持ボディと、
（ｂ）  前記ボディを上側液体受け取り保持チャンバーと下側液体受け取り保持チャンバーとに分割する略漏斗形状の横断内側壁であって、該横断内側壁は、前記上側及び下側のチャンバー間の液体流れの連通を可能にする中央オリフィスを有する、前記横断内側壁と、
（ｃ）  前記オリフィスの下方で前記下側チャンバー内に配置されたオリフィスストッパーであって、該ストッパーは、前記下側チャンバー内への液体流れを停止させるため該ストッパーが前記オリフィスと係合するように前記ストッパーを浮上させるため所定の高さにまで前記下側チャンバーを充填する液体に応答する、前記オリフィスストッパーと、
（ｄ）  脱着可能なボディトップカバーと、
（ｅ）  下方に延在する底カバー領域の回りに形成された環状のスプリング状の可撓性ウェブを有する脱着可能なボディ底カバーであって、該ウェブは、前記装置を前記下方に延在する底カバー領域へと下方に押すことに応答して、前記底カバーの中央直立領域を前記ストッパーと係合させて該ストッパーを前記オリフィス内へと上方に押しやる態様で上方に撓む、前記ボディ底カバーと、
（ｆ）  前記所定の液体高さを事実上超えたところに前記装置ボディの側壁を貫通して前記下側チャンバー内に形成されたピンホールであって、該ピンホールは、前記装置が前記下方に延在した底カバー領域へと下方に押され、前記可撓性ウェブが上方に撓み、これにより下側チャンバー体積を減少させるとき、前記下側チャンバー内の圧力を解放させる、前記ピンホールと、
を備える、二重チャンバー液体受け取り保持装置。
【請求項６２】
前記下方に延在する底カバー領域に取り付けるようにサイズが定められた底カバー延長部を備え、該底カバー延長部は、より大きな装置ボディの設置面積と、前記下方に延在する底カバー領域に追加の高さとを提供するようにサイズが定められ、それにより前記ウェブの前記中心を超えた固定と前記ストッパーの前記オリフィス内への安全な係止とを確実にするようにした、請求項６１に記載の二重チャンバー液体受け取り保持装置。
【請求項６３】
前記底カバーを超えて適合するようにサイズが定められた底カバー係止リングを備え、該底カバー係止リングは、該底カバーを前記ボディにしっかりと固定するため前記ボディにねじ込んで取り付けることができるように構成されている、請求項６１に記載の二重チャンバー液体受け取り保持装置。
【発明の詳細な説明】
【技術分野】
【０００１】
本発明は、液体の２つのサンプルを収集し別々に収容するための装置の一般的な分野に係り、より詳しくは、ボディ流体の２つのサンプルの別々の収容に係り、更に詳しくは、分析用の尿の２つのサンプルの収集及び別々の収容に関する。
【背景技術】
【０００２】
現在の状況下では、液体のサンプルの収集及び別々の収容に関する希求又は必要性が、しばしば唱えられている。一例として、細菌尿分析は、後述されるように、「中間点流れ」尿と一般に称されるものの流れの収集を必要としている。
【０００３】
細菌診断試験のための最良の中間点流れ尿標本は、カテーテル挿入によって、又は、幅広い範囲の中間点流れ尿収集システムで現在のところ利用可能な様々な殺菌剤を使用した非常に精密な１０ステップの身体クリーニング技術に従うことによって、患者の膀胱から直接得られる。一般には、これらの冗長で非常におじけづけさせるクリーニング処置は、特に、より若い女性患者によって、無知又は受け入れ困難に起因して、全く従われていない。
【０００４】
クリーニングプロセスの不適切さ、及び、中間点流れ尿標本を捕捉し分離することができる有用な収集システムがこれまで利用できなかったという事実に加えて、偽陽性の診断結果の高い発生率は、臨床尿管感染管理における落とし穴を常に想起させる。
【０００５】
患者の尿の流れの最初の部分は、前流れ尿と称される。女性においては、特に、この前流れ尿は、洗浄があまりなされない外部泌尿生殖器管を通って流れる間に、尿分析にとって、特に微生物学的又は細菌学的検査にとっては汚染されて不適切であるものと常にみなされている。より頻繁に、前流れ尿の汚染物質は、実験テストで偽陽性の結果を高く発生させる。この結果は、不運にも外部泌尿生殖器の解剖学的部分の周囲に位置する外部汚染物質から導出される。これらの一見して潔白の偽陽性の汚染物質は、その排泄プロセスの間に膀胱からの明らかにきれいな尿流れに沿って引きずり出される。この意図せずに汚染された前流れ尿は、患者の泌尿生殖器経路を通ってすすぐ間に、従来の単一のチャンバー収集容器内に収集され、次に、後のクリーナー、中間点流れサンプルと混合し、悪く混合された中間点流れサンプルは、実験診断処置にとっては不適切であるか又は受容できないものとみなされる。
【０００６】
上記のような中間点流れ尿収集に関連する問題は、（細菌学的分析のために使用されない）前流れ尿の流れを適切に洗浄することを保障することである。前流れ尿の流れが非常に小さい場合、泌尿生殖器の経路の不適切な洗い落としを生じさせ、これに引き続いて収集された中間点流れの尿流を汚染させ、これによって、細菌学的尿分析に悪影響をもたらしかねない。他方では、前流れの尿流が非常に大きい場合、尿分析の目的のために量的に不十分な中間点流れ尿流を患者がもたらすおそれがある（典型的には、６ｍｌから１２ｍｌが要求される）。
【０００７】
これまでのところ、本願発明者らの知識によれば、最も一般的に使用されている中間点流れの尿収集処置は、患者が解剖学的経路をすすぎ落とすのに十分なものと推定される約３０ｍｌ乃至約５０ｍｌの尿（後に廃棄される）の量で連続的に室内便器（又は他のリセプタクル）内に排尿し、要求された汚染されていない中間点流れの尿流のためのよりきれいな標本を提供して引き続く分析用の尿流を収集し、最後にコンテナ内への排尿を完了することが要求される。そのような処置では、廃棄される前流れ尿の量は、通常、女性にとっては制御するのが困難であり、それが非常に少ない場合には、汚染された中間点流れ尿流をもたらし、非常に大きい場合には、正確な生物学的分析のため中間点流れ尿流が非常に小さくなり得る。その上、そのような処置は、中間点流れを収集するため患者が彼女（又は彼）の尿流を途切れさせないことが要求される。これは、即ち、中間点流れを収集することを困難にさせることとなり得る。いずれにしても、そのような処置は、患者の手及び／又は尿収集容器への意図しない非衛生的な排尿を起こしかねない。
【０００８】
従って、第１のステップとして、前流れ尿流を所定量だけ自動的に収集し、次に、第２の別個のサンプルとして、中間点流れ尿流を自動的に収集する装置を提供することが非常に望ましい。当該収集装置は、中間点流れ尿サンプルの汚染を防止するため第１の前流れ尿サンプルから第２のクリーンな中間点流れ尿サンプルを完全に隔てることが更に重要である。
【０００９】
２つの同時的な別個の尿サンプルを同じ個人から収集する必要性の別の例は、個人のドラッグテストに関するものである。特に法的問題が含まれたり又は含まれる可能性がある場合、通常ではドラッグテストされる個人からの２つの同時的尿サンプルが、たとえ法的に要求されなかったとしても望ましい。これらの尿サンプルの最初の一つは、スポットのドラッグテストのため使用され、尿サンプルの第２のものは、スポットでのドラッグテスト結果が正当性を疑うものであり、法的闘争に巻き込まれたりする場合に引き続くドラッグテストを実施するための手を加えることができない保存状態で維持され又は維持されるべきであり、かくして第２のドラッグテストが要求される。
【発明の開示】
【発明が解決しようとする課題】
【００１０】
従って、本発明の主要な目的は、液体、特に尿の２種類のサンプルを、該２種類のサンプルが互いから隔てられている状態で、受け取り、保持する装置を提供することである。
【課題を解決するための手段】
【００１１】
二重チャンバー液体受け取り保持装置は、連続的な外側壁、開放頂部及び開放底部を有する、液体受け取り保持ボディを備え、ボディのための、脱着可能なトップカバー及び底カバーを備える。好ましくは、略円柱状に形成された装置ボディは、該ボディを上側液体受け取り保持チャンバーと下側液体受け取り保持チャンバーとに分割する略漏斗形状の横断内側壁を有して形成され、該横断内側壁は、横断内側壁オリフィスに向かって下方へとテーパーが形成されて、前記上側及び下側のチャンバー間の液体流れの連通を可能にする。好ましくは、オリフィスの回りを取り囲む環状の垂れ下がり係止フランジが、狭い内側環状係止凹部を有する。
【００１２】
下側チャンバー内に配置されたオリフィスストッパーは、所定の高さにまで前記下側チャンバーを充填する液体に応答し、該ストッパーをオリフィスとの密封係合状態へと浮上させ、これにより下側チャンバー内への更なる液体流れを防止する。ストッパーは、該ストッパーがオリフィス内にしっかりと受け入れられるとき係止フランジ環状凹部内に掛かり止めするように形成された幅の狭い外側環状ビードを有すて形成されるのが好ましい。オリフィスは、円形形状で、横断壁の中央に配置されており、ストッパーは、上側円錐オリフィス密封領域を有して形成されている。
【００１３】
ストッパーは、外側に拡がった円形スカート領域を有して形成されるのが好ましい。下側チャンバー内で所定の液体の高さを提供するため選択された高さを有するリング形状のフロートが、該ストッパーに浮上時の安定性を提供するため該ストッパーの円形スカート領域の下方に配置されるのが好ましい。
【００１４】
装置ボディは、開放底部に隣接してその外側の回りに幅の狭いビードを備え、底カバーは、ボディへの底カバーの取り付けのため、このボディビードを超えて上方にスナップするように構成されている。また好ましく備えられるものは、底カバーを超えて適合するようにサイズが定められた底カバー係止リングであり、該底カバー係止リングは、該底カバーをボディにしっかりと固定するためボディにねじ込んで取り付けることができるように該ボディの形態に連係して構成されている。
【００１５】
変形に係る装置は、開放頂部を通して前記装置内に収容される液体の強力な流れを逸らすためのアダプターを備え、該アダプターは、他の点では、下側チャンバー内に収容された液体がストッパーをオリフィス内に浮上させたとき該ストッパーが該オリフィス内へと堅く密封することを防止することができる。逸れアダプターは、トップカバーの代わりに装置ボディの前記開放頂部に取り外し可能に取り付けられた取り付け部材を備える。取り付け部材に取り付けられたドーム形状の要素が、取り付け部材が装置ボディに取り付けられるとき及び下側チャンバー内に収容された液体によりストッパーがオリフィス内へと浮上されるとき、ストッパーの直接上方の位置に配置される。該ドーム形状の要素は、装置内に受け入れられる液体の強力な流れを、オリフィスを取り囲む横断壁の領域へと逸らすように形成されている。取り付け部材は、ハンドルと、該ハンドルを取り付け部材に脱着可能に取り付けるための手段とを備える。
【００１６】
上側チャンバーと下側チャンバーとの間で液体が漏れないことを確保するようにストッパーをオリフィスとの緊密な密封関係へと押しやるための手段を備えるのが好ましい。
一態様では、ストッパー押し手段は、下方に延在する底カバー領域の回りに底カバー内に形成された環状のスプリング状の可撓性ウェブを備え、該ウェブは装置を下方に延在する底カバー領域へと下方に押すことに応答して、底カバーの中央直立領域をストッパーと係合させて該ストッパーをオリフィス内へと上方に押しやり、該ストッパーを通る液体漏れに対抗してオリフィスをしっかりと密封するためストッパー外側環状ビードを係止フランジ環状凹部内に掛かり止めする態様で上方に撓む。底カバー直立領域がストッパーをオリフィス内にしっかりと押しやってストッパー外側環状ビードを係止フランジ環状凹部内に掛かり止めさせるためウェブが上方に撓むとき、該ウェブは、上側チャンバー及び下側チャンバーの間でストッパーを超えて液体が漏れないことを確実にするように、ストッパーをオリフィス内に係止させるため中心を超えて固定し、ストッパー外側環状ビードを係止フランジ環状凹部内に掛かり止めする。
【００１７】
好ましくは、下方に延在する底カバー領域に取り付けるようにサイズが定められた底カバー延長部を備え、該底カバー延長部は、ウェブの中心を超えた固定を確実にするように、より大きな装置ボディの設置面積と、前記下方に延在する底カバー領域に追加の高さとを提供するようにサイズが定められている。
【００１８】
変形に係る二重チャンバー装置は、繊維ディスクにより圧縮状態に保持されたストッパーの下方で下側チャンバー内に配置されたスプリングを備える。該ディスクは、該スプリングがストッパーと係合して該ストッパーをオリフィス内に上方に押しやり、オリフィスをしっかりと密封するためストッパー外側環状ビードを係止フランジ環状凹部内に掛かり止めするように、スプリングをその圧縮状態から解放するのに十分に該ディスクを柔らかくする好ましくは少なくとも約２０秒である所定長さの時間に亘って、下側チャンバー内に収容された水性液体との接触に応答し、それにより上側チャンバー及び下側チャンバーの間でストッパーを超えて液体が漏れないことを確実にするため、該スプリングがストッパーと係合して該ストッパーをオリフィス内に上方に押しやり、前記オリフィスをしっかりと密封するためストッパー外側環状ビードを係止フランジ環状凹部内に掛かり止めするようにした。
【００１９】
別の変形に係る二重チャンバー装置は、ストッパーの下方で下側チャンバー内に配置された、水性液体で非常に膨張することが可能な親水性要素を備える。親水性要素は、下側チャンバー内に収容された水性液体との接触に応答し、それにより該要素をストッパーとの接触状態へと非常に膨張させ、該ストッパーをオリフィス内に上方に押しやり、オリフィスをしっかりと密封するためストッパー外側環状ビードを係止フランジ環状凹部内に掛かり止めし、上側チャンバー及び下側チャンバーの間でストッパーを通って液体が漏れないことを確実にするようにストッパーをオリフィス内によりいっそう押しやり、ストッパー外側環状ビードを前記係止フランジ環状凹部内に掛かり止めする。
【００２０】
更に別の変形に係る二重チャンバー装置では、ストッパー押し手段は、ストッパーの下方で下側チャンバー内に配置された、液体溶解性の沸騰性錠剤を備える。該沸騰性錠剤は、下側チャンバー内に収容された水性液体との接触に応答してストッパーと接触するように上昇する大量のガス気泡を提供し、それにより該ストッパーをオリフィス内に上方に押しやり、オリフィスをしっかりと密封するためストッパー外側環状ビードを前記係止フランジ環状凹部内に掛かり止めさせる。
【００２１】
更なる変形に係る二重チャンバー装置では、ストッパー押し手段は、底カバーを通って上方に延在する中央領域を有する２次的な底カバーを備え、該中央領域は、細長い直立ストッパー係合ピンを有する。取り外し可能なスペーサーが、底カバーと２次的な底カバーとの間に配置されており、使用前にそれらのカバー間で分離を維持する。装置及び内部に含まれる液体の使用後の重量が、スペーサーが除去されたとき、ストッパーをオリフィス内に押しやるように２次的底カバーピンを上方に移動させ、オリフィスをしっかりと密封するためストッパー外側環状ビードを係止フランジ環状凹部内に掛かり止めさせる。スペーサーが除去され、２次的底カバーピンがストッパーをオリフィス内にしっかりと押しやり、ストッパー外側環状ビードを係止フランジ環状凹部内に掛かり止めし、装置が２次底カバー上に下方に押圧された後、該２次的底カバーは、底カバーに亘って上方にスナップさせられ、該２次的底カバーピンにストッパーをオリフィス内に係止させ、上側チャンバー及び下側チャンバーの間でストッパーを通って液体が漏れないことを確実にするようにストッパー外側環状ビードを係止フランジ環状凹部内に掛かり止めさせる。
【００２２】
更に別の変形に係る二重チャンバー装置のストッパー押し手段は、ストッパーに固定された磁石要素と、オリフィスに隣接して横断壁に固定された別の磁石要素と、を備え、装置使用前のオリフィス内へのストッパーの磁気吸引を防止するためストッパー及びオリフィスの間に配置された取り外し可能なスペーサーを備え、液体が、ストッパーをオリフィス内へと浮上させる程度に下側チャンバー内に導入されたとき、ストッパーは、オリフィス内へとしっかりと磁気的に引っ張られ、ストッパー外側環状ビードは、オリフィスをしっかりと密封するように磁石要素により係止フランジ環状凹部内に掛かり止めされる。ストッパーがオリフィス内にしっかりと磁気的に引っ張られ、ストッパー外側環状ビードが係止フランジ環状凹部内に掛かり止めされるとき、磁石要素は、上側チャンバー及び下側チャンバーの間でストッパーを通って液体が漏れないことを確実にするように、ストッパーをオリフィス内に更に係止し、ストッパー外側環状ビードを係止フランジ環状凹部内に掛かり止めする。
【００２３】
更に別の変形に係る二重チャンバー装置では、水性液体活性化接着剤が、オリフィスの回りで横断壁に塗布され、取り外し可能なスペーサーが、装置使用前のオリフィス内へのストッパーの接着を防止するためストッパー及びオリフィスの間に配置されている。液体が、ストッパーをオリフィス内へと浮上させるように下側チャンバー内に導入されたとき、接着剤が活性化され、これによって上側チャンバー及び下側チャンバーの間でストッパーを通って液体が漏れないことを確実にするようにストッパーをオリフィス内に係止する。
【００２４】
更なる変形に係る二重チャンバー装置では、逸れ手段が提供される。該逸れ手段は、下側チャンバー内に収容された液体がストッパーをオリフィス内に浮上させるとき、ストッパーがオリフィス内にしっかりと密封することを防止するように開放頂部を通って装置内に受け入れられる液体の強力な流れを逸らすため設けられる。該逸れ手段は、トップカバーの代わりに装置ボディの開放頂部に取り外し可能に取り付けられた取り付け部材と、部材が装置ボディに取り付けられるとき及び下側チャンバー内に収容された液体によりストッパーがオリフィス内へと浮上されるときストッパーの直接上方の位置にあるように取り付け部材に取り付けられたドーム形状の要素と、を備える。該ドーム形状の要素は、装置内に受け入れられる液体の強力な流れをオリフィスを取り囲む横断壁の領域へと逸らすように形成されている。ハンドルと、該ハンドルを前記取り付け部材に脱着可能に取り付けるための手段と、が備え付けられている。
【００２５】
装置ボディは、剛性プラスチック材料から構成され、該剛性プラスチック材料は、高密度のポリプロピレンを含むのが好ましい。更に、上側及び下側チャンバーは、尿収集のための装置で使用するため、各々、約８０ｍｌ及び約１００ｍｌの体積を有するのが好ましい。
【００２６】
一般に、細長いハンドルと、前記コンテナ外側壁の上側領域に該ハンドルを脱着可能に取り付けるための手段とが備えられており、該上側領域から該ハンドルが略径方向に突出するようにしている。ハンドルは、該ハンドルがコンテナ外側壁に取り付けられたとき上方向及び外側方向に角度をなす把持領域を有して形成される。
【００２７】
二重チャンバー装置の任意のバージョンでは、下側チャンバーの領域内でコンテナ外側壁に設置されたエラストマー部材を備え、該エラストマー部材は、下側チャンバーから液体を取り出すことを可能にするように皮下注射器針により突き刺し可能である。エラストマー要素は、皮下注射器針を突き刺し箇所から引き抜いた後、自動的に密封される。好ましくは、エラストマー要素を確実に覆うカバーが備えられ、該カバーは、エラストマー要素から脱着可能であるが、取り外し後には該エラストマー要素に再取り付けできなくなり、これにより、前記下側チャンバー内の液体に手を加えたという視覚的表示を提供する。
【００２８】
圧力により引き起こされる下側チャンバーから上側チャンバーへの液体の抜き取りを防止するように下側チャンバーから空気を排気するため圧力解放手段が設けられていてもよい。圧力解放手段は、装置ボディの側壁を貫通して、所定の液体レベルの上方で下側チャンバー内に形成されたピンホールを備えていてもよく、該ピンホールは、好ましくは、０．０１ｍｍ以上乃至約０．１ｍｍの間の直径を有する。
【００２９】
本発明は、添付図面と関連付けられたとき次の詳細な説明を考慮することによって、より容易に理解することができる。
【実施例】
【００３０】
様々な図面において、同じ要素及び特徴は、同じ参照番号で与えられ、対応する要素及び特徴は、元の参照番号に、「ａ」、「ｂ」又は「ｃ」等を付与することで与えられている。
【００３１】
図１には、二重チャンバー液体受け取り収容装置１００（以下、簡略するため、通常、「二重チャンバー装置」と称される）が示されている。後述されるように、該装置は、患者から尿の流れを受け取り、該尿流れを前流れ部分及び中間点流れ部分として別々に収容するため有利に使用することができる。
【００３２】
二重チャンバー装置１００を構成するものとして示されているものは、より詳しくは後述されるように、略円柱装置ボディ即ち液体カップ１０２と、ボディの開放上側端部で脱着可能に取り付けられているトップカバー即ちキャップ１０４と、ボディの開放底部に取り付けられている底カバー即ちキャップ１０６と、（後述されるように）底カバーをボディに固定するためボディ上にねじ込まれた底カバー係止リング１０８と、ボディの上側領域から突出するテーパー形成取り付け部品１１２によりボディに脱着可能に取り付けられた角度形成ハンドル１１０と、である。孔１２０（明瞭にする目的のため、関連する全ての図面でサイズが非常に誇張されて示されている）は、直径にして約０．０１ｍｍ乃至約０．０５ｍｍであり得る。
【００３３】
トップカバー１０４は、凹部即ち溝１１６を密封する環状装置を有するものとして図２に示されている。ハンドル１１０は、その末端部に、テーパー付き舌部及び溝の態様でボディ取り付け部品１１２（図４）へと上方に嵌合するように形成されサイズが定められた装着領域１１８を有する。二重チャンバー装置１００（及び、その後述する変形態様）が、前流れ尿サンプル及び中間点流れ尿サンプルを収集するように使用されるとき、ハンドル１１０は、特に、尿サンプル収集の間に容易なアクセスを提供するため女性患者によって人間工学的に便利で効果的に使用することができるように形成されている。かくして、ハンドル１１０は、好ましくは、約４．５インチであり得る全体的な長さＬ１と、約４５度であり得る中央曲げ角度αと、を有し、更に、ハンドル装着領域１１８及び装置ボディ取り付け部品１１２は、角度αと組み合わされる約３０度の上向き角度βでハンドルを取り付けている（図１）。
【００３４】
図５は、装置ボディ１０２の頂面図を示し、該ボディは、例えば高密度のポリプロピレン等の剛性プラスチック材料から構成することができ、透明、半透明又は不透明のいずれであってもよい。図６及び図６ａの縦断面に示されるように、装置ボディ１０２は、尿標本収集のため約３．５インチであり得る高さＨ１の外側壁１２４と、約２．５インチであり得る外径Ｄ１を有する開放頂部１２６と、約２．２５インチであり得る外径Ｄ２を有する開放底部１２８とを有して形成されている。ボディ壁１２４は、約０．０５インチである厚さＴ１を持っていてもよい。
【００３５】
第１の外側にねじが切られたトップカバー受け取り領域１３０は、開放頂部１２６より下方に隣接するボディ壁１２４上に形成され、第２の外側にねじが切られた底係止リング受け取り領域１３２は、開放底部１２８より上方に隣接するボディ壁上に形成されている。外側環状ビード１２４は、底開放端部１２８でボディ壁１２４の回りに形成されている。
【００３６】
装置外側壁１２４を内部に横切って形成されているものは、漏斗形状の横断内側壁１４０であり、該壁は、装置ボディ１０２を、上側チャンバー１４２及び下側チャンバー１４４に分割する。これらのチャンバーは、各々、約８０ｍｌ及び約１００ｍｌの尿収集体積を持っている。横断内側壁１４０内の中央円形オリフィス１４６は、約０．８０インチであり得る直径Ｄ３の入口開口部を有する、垂れ下がった周囲オリフィスリング１４８によって形成されている。該オリフィスリングは、円錐状に形成されており、即ち、下側チャンバー１４４に向かって僅かに拡径されている。
【００３７】
第１のねじ切り領域１４０の下方に隣接するボディ壁１２の外側表面１３８上の幅の狭い色付きリング１３６は、液体を上側チャンバー１４２内に導入するとき視覚的に「満杯」を案内するものとして提供されている。
【００３８】
横断内側壁１４０及び周囲のオリフィスリング１４８から垂れ下がり、その下方に延在するものは、約１．２５インチであり得る外径Ｄ４を有するストッパー固定リング１５０である。幅狭の浅い内側環状ストッパー掛止溝即ち凹部１５２は、ストッパー固定リング下側エッジ１５６の上方に隣接するストッパー固定リング１４８の回りに形成されている。
【００３９】
図７〜図９に示された、浮揚性オリフィスストッパー１６０は、中空の円錐形状のオリフィス密封領域１６２と、下側の径方向に拡がったスカート領域１６４とを備え、約１．２５インチであり得る、全体高さＨ２を有する。オリフィス密封領域１６２は、上述したオリフィスリング１４８内にしっかりと適合するように形成されサイズが定められ、これによりオリフィス１４６を密封する。オリフィス密封領域１６２の下側領域を取り巻いているものは、（上述された）ストッパー固定リング環状係止溝１５２内に密接に嵌合するように形成されサイズが定められた環状係止ビード１６６である。オリフィスストッパー１６６の一部を形成しているものは、垂れ下がった案内部即ち押しコラム１６８である。案内部即ちコラム１６８の下側領域の回りに形成されているものは、鋸歯形状の環状掛止リング１７０である（図７及び図８）。
【００４０】
図８及び図９に示されているように、幾つかの（６つが示されている）内部補剛材１７２が、オリフィス密封領域１６２に剛性を分与するため提供されている。ストッパー１６０は、装置ボディ１０２と同じ剛性プラスチック材料から構成されるのが好ましい。オリフィスストッパースカート部１６４は、好ましくは、下側スカート周囲エッジ１７４で、約０．５９インチであり得る外径Ｄ５を有する。コラム１６８は、約１．９７インチであり得る外径Ｄ６を有する。
【００４１】
図１０〜図１２に示される、環状オリフィスストッパーフロート部１８０は、浮揚性を持つように閉胞ポリスチレン発泡体から構成されるのが好ましい。フロート部１８０は、後述されるように、オリフィスストッパー１６０に浮揚性を提供するように形成されサイズが定められている。そのような目的のために、フロート部１８０は、オリフィスストッパー案内部即ちコラム１６８に亘って緩く嵌合するように内側表面１８２では約１．０インチであり得る直径Ｄ７を有し、オリフィスストッパースカート領域１６４の下方で緩く嵌合するように外側表面１８４では約１．５７インチであり得る外径Ｄ８を有する。フロート部１８０の上側周囲領域１８６は、フロート部がオリフィスストッパースカート領域１６４の下方で嵌合するように約４５度の角度で面取りされている。フロート部１８０は、例えば約０．３９インチであり得る厚さＴ２を持っているが、下側チャンバー１４４の所望の液体収容体積に従って選択されている（図６）。フロート部１８０は、たとえオリフィスストッパーがそれ自体で浮揚性を持っていたとしても、尿（又は他の液体）を下側チャンバー１４４内に放出している間に患者の技能に従って装置ボディ１０２が傾斜されたときでさえオリフィス１４６との係合状態へとオリフィスストッパー１６０を持ち上げるように機能する。
【００４２】
図１３乃至図１７に示されるように、約１．０６インチであり得る全体高さＨ３を有する底カバー１０６は、約１．１８インチであり得る直径Ｄ９を有する、剛性の上側に凹んだ中央底ベース部１９０を備える。中央底ベース部１９０は、薄い可撓性の上方に弧状の環状ウェブ１９２により取り囲まれ、該ウェブは、スプリング特性を有し、底ベース下側表面１９４の上方に約０．６３インチであり得る距離ｄ１だけ延在する。ウェブ１９２の径方向外側端部は、環状の上方向に延在する第１の装置ボディ装着フランジ１９６で終わっており、該フランジは、内側に面するビード１９８と、環状の上方向に延在する第２の装置ボディ密封フランジ２００と、を有する。底ベース部から上方向に突出するものは、オリフィスストッパー案内部２０８である。案内部２０８の内側の回りに形成されているものは、オリフィスストッパー掛止リング２１０であり、該リングは、オリフィスストッパー掛止リング１７０（図７及び図８）に対して相補的な態様で形成されている。案内部２０８の外径Ｄ１０は、約０．７５インチであり得る。
【００４３】
底カバー１０６は、装置ボディ１０２に取り付けられた状態で、図１５乃至図１７の側面図に示されている（点線で示されている）。図１５は、環状ウェブ１９２を備えた底カバー１０６をその非圧縮状態で示している。図１６は、ウェブ１９２（図示せず）を備えた底カバー１０６をその圧縮状態で示している。この圧縮状態は、ベース領域１９０がもはや見えなくなるまで剛性表面２１１に載っている底カバーへと下方に押すことにより達成される。図１７は、縦断面図（図１４に対応し、図１６から導き出される）であり、底カバー１０６が表面２１１上に下方に押された結果として、底カバーウェブ１９２がその中心を超えた係止状態へと撓み、これによってオリフィスストッパー１６０をオリフィス１４６とのしっかりと密封した関係へと上方に押し上げている状態を示している。これは、ストッパー係止ビード１６６をオリフィス係止凹部１５２内に掛かり止めし、ストッパーをオリフィス内に係止し、上側チャンバー１４２及び下側チャンバー１４４の間で液体漏れが生じないことを確実にする工程を含んでいる。
【００４４】
底カバー１０６は、ウェブ１９２が上述した態様で撓むことができるように装置ボディ１０２よりも剛性の少ない比較的高い密度のポリプロプレンから構成されるのが好ましい。底カバー１０６の相対的可撓性の故に、底カバーのオフセット押しが、ウェブ１９２をその中心超え係止状態へと撓ませ、これによりストッパー１６０をオリフィス１４６内へとしっかりと押しやって該ストッパーをそこに係止させるという可能性はありそうにもない（上述のように、底カバーフランジ１９６のある領域が、下側チャンバー１４４からの液体漏れを可能にするのに十分に装置ボディ環状ビード１３４から移動されるおそれがある）。このとても起こりそうもない可能性を回避するため、装置ボディ１０２と同じ剛性のプラスチック材料から作られた底カバー係止リング１０８が底カバー１０６を装置ボディへと係止させるように装置ボディのねじ切り領域１３２にしっかりとねじ込まれている。
（第１の変形態様に係る二重チャンバー装置１００ａ）
図１８に分解整列された形態で表された第１の変形態様に係る二重チャンバー装置１００ａは、上述した二重チャンバーボディ１０２と、トップカバー１０４と、底カバー１０６と、底カバー係止リング１０８と、ハンドル１１０と、オリフィスストッパー１６０と、オリフィスストッパーフロート１８０と、トップカバー密封リング２１２と、底カバー係止リング／底カバー密封リング２１４と、オリフィスストッパー密封リング２１６と、を備える。密封リング２１２、２１４オリフィス２１６は、ゴム（例えば、ネオプレン）又はエラストマープラスチック（例えば、シリコン）から構成されるのが好ましい。
【００４５】
上述した範囲では、前記した二重チャンバー装置１００は、二重チャンバー装置１００ａ内に含まれ、特徴を区別するように形成しているものが、追加の底カバー高さ（以下で定義される）を提供するため中央底カバーベース部１９０上に嵌合する円形底カバー延長部材２２０であるという点を除いて、上述した二重チャンバー装置１１０ａと同一である。延長部材２２０は、該部材を底カバー中央ベース部１００に取り付けるためサイズが定められた環状の上方向に延在する装着フランジ２２２を備える。フランジ２２２の内側表面２２３は、底カバーウェブ１９２の曲率に合致する曲率を有する。フランジ２２２は、視認性を容易にするため赤に色付けされているのが好ましい。部材２２２の一部を形成しているものは、拡大された平坦円形支持プレート領域２２４であり、該領域は、中央底カバーベース部１００により提供されたものよりも大きい「設置面積」を二重チャンバー装置１００ａに提供し、底カバーウェブ１９２の中心超え係止、並びに、その結果としてのオリフィスストッパー１６０のオリフィス１４６への係止を確実にする。支持プレート２２４は、より詳細には後述されるように、底カバー係止リング１０８とかみ合う比較的薄い幅狭の環状周囲掛止領域２２６を有して形成される。支持プレート領域２２４は、延長部材２２０が底カバー領域１９０に上方に嵌合することを可能にする中央開口部２２５を有する。
【００４６】
図１８に更に示されているものは、最初に、密封リング２１２が収容されているところのトップカバー１０４の内部のねじ切り領域２３０と、密封リング２１４が収容されているところの底カバー係止リング１０８の内部の同様のねじ切り領域２３２とである。トップカバーねじ切り領域２４０は、装置ボディ１０２上のねじ切り領域１３０と螺合し、底カバー係止リングねじ切り領域２３２は、装置ボディ上のねじ切り領域１３２と螺合する。図１９に示されるように、底カバー係止リング１０８は、約２．０９インチであり得る直径Ｄ１１の中央アパーチャ２４０を有する。フラップ２４１に対しては、約１．９７インチであり得る直径Ｄ１２となる。
【００４７】
二重チャンバー装置１００ａがその完全に組み立てられた使用前の状態で図２０に示されている。底カバー延長支持プレート領域２２４は、直径Ｄ１３を有するように示されている。底カバー延長部２２０は、表面２１１から底カバー係止リング１０８まで、上記した底カバー高さｄ１（図１４）よりも大きく、約０．５５インチであり得る距離ｄ２を提供する。この距離ｄ２は、二重チャンバー装置１００ａが、二重チャンバー装置の使用後の状態を表す図２１に示されるように表面２１１へと下方に押されるとき底カバーウェブ１９２の撓みの総量を表している。この点に関して、底カバー延長領域２２２の赤色は、装置１００ａが図２１に示されるように使用後の圧縮状態にあるとき、もはや目に見えない。
【００４８】
図２２では、二重チャンバー装置１００ａがその完全に組み立てられた使用前のトップカバー１０４が取り外された状態で、かくしてトップカバー１０４無しの図２０に対応するものが縦断面で示されている。オリフィスストッパー１６０は、ストッパー領域１６２の下方に隣接して該ストッパーに取り付けられた状態で、オリフィス１４６の下方にその最下位置で示され、底カバー案内コラム２１０に載っている。フロートリング１８０は、底カバーウェブ１９２に載っているその最下の位置で示されている。底カバーシール部２１４は、底カバー係止リング１０８に設置された状態で示され、そのねじ切り領域２３２は、装置ボディのねじ切り領域１３２に螺合された状態で示されている。
【００４９】
図２２に類似しているが、二重チャンバー装置１００ａの引き続く作動段階を表す図２３、図２３ａの縦断面図では、例えば患者の尿等の液体２５０が、装置ボディ１０２の上側チャンバー１４２内に放出されているところが示されている。下側チャンバー１４４は、液体（尿）で既に充填された状態で示され、該液体は、ストッパー領域１６２がオリフィス１４６との密封関係へと押されるようにフロート１８０にオリフィスストッパー１６０を上方に押させ、その一方で、液体は上側チャンバー１４２を充填し始めている。装置１０ａが細菌分析のため患者の尿の収集のため使用されたものと仮定すると、下側チャンバー１４４内に収容された尿２５２は、前流れ尿からなるべきであり、このため、下側チャンバーは、上側チャンバー１４２内に収集された尿２５４が汚染されていない中間点流れ尿をなすことを確実にするため十分な体積を持っている。尿２５２の上側表面２５３は、下側チャンバー１４４での所定の尿の高さと合致しており、オリフィスストッパー１６０は、この高さまで、オリフィス１４６との密封係合状態へと上方に浮上されるように応答する。
【００５０】
オリフィスストッパースカート領域１６４から垂れ下がっている垂直支持コラム１６８は、底カバー１０６から上方に延在するより大きい直径のガイドコラム２０８内に入れ子式に収容される。かくして、オリフィスストッパー１６０の上方移動は、底カバー案内コラム２０８内で完全に案内され拘束される。この時点では、底カバー環状可撓性ウェブ１９２は、その装置使用前の撓んでいない状態のままである。
【００５１】
オリフィスストッパー係止リング１５０は、装置ボディ１０２がその使用中に様々な角度で傾斜されるとき必ず、オリフィス１４６内へと差し向けられるようにストッパー密封領域１６２を安定させる。従って、各患者が彼女（又は彼）の装置ボディ１０２を液体（尿）収集プロセスの間に如何に配置するかに拘わらず、前流れ尿の捕捉、分離及び正確なオリフィスストッパー密封及び閉鎖を含む全二重チャンバー装置１００の機械的完全さは常に保たれ、フロート１８０の安定化作用を損なわない。
【００５２】
図２３、図２３ａに類似した、図２４、図２４ａの縦断面図では、二重チャンバー装置１００ａは、トップカバー１０４が装置ボディ１０２に取り付けられ、ハンドル１１０が部材１１２から取り外されたその使用後の状態で示されている。装置１００ａは、底カバーベース領域１９０及び底カバー延長部２２０が装置ボディ１０２へと完全に引っ込められるように硬い表面２１１上に下方に押圧されて示されている。この状態では、底カバーコラム２１０はオリフィスストッパー１６０をオリフィス１４６との緊密な密封関係へと上方に押し、ストッパーシール部２１６はオリフィスリング１４８の下側領域に対して密封関係に押しやられている。このプロセスは、ストッパー係止ビード１６６をオリフィス係止凹部１５２内に掛かり止めし、上側チャンバー１４２及び下側チャンバー１４４の間で液体漏れが生じないことを確実にするためストッパーをオリフィス内に係止させる、各工程を含んでいる。この状態では、色付き底延長フランジ２２２が、隠されており、これにより、適切な係止が起こったという視覚的表示を提供する。時折、神経質で知識の乏しい患者は、二重チャンバー装置１００ａを係止しないままにし得る。この赤に色付けされたフランジ２２を、看護婦や技術スタッフは明瞭に見ることができ、それを分析研究室に輸送する前に、それらを装置１００ａに係止させることを直ちに思い起こさせることができる。
【００５３】
その結果、底カバーウェブ１９２の中心を超えた係止は、底カバー１９０を図示されたその上方位置に係止させ、これにより、（上述されたように）オリフィスストッパー１６０をオリフィス１４６内に確実に係止する。それによって。装置１００ａの粗い操作にも拘わらず、液体２５２は、下側チャンバー１４４から上側チャンバー１４２に保持された液体２５４へと漏れることはできなくなる。シール部１１４が設置された底カバー係止リング１０８は、装置１００ａが上記係止プロセスの間に表面２１１にまともに圧されなかったならば発生したかもしれない底カバー１０６の周囲における液体漏れを防止する。底カバー延長部２２０が取り付けられた底カバーベース部１００が、上述したように上方向に引っ込められるとき、底カバー延長周囲掛止領域２２６は、下方に撓み、中央開口部２４０に隣接した底カバー係止リング径方向突起部２４１を迂回し、次に、それらに亘って外側に突出し、底カバーウェブ１０２をその中心を超えた係止状態に維持させる。
【００５４】
下側チャンバーの液体２５２が前流れ尿であり、上側チャンバーの液体２５４が中間点流れ尿であると仮定すると、上側チャンバーの中間点流れ尿は、細菌分析のため使用され、下側チャンバーの前流れ尿をなおも含んだ装置１００ａは廃棄される。
【００５５】
装置１００ａ又は装置１００（底カバー延長部２２０が存在しない）が底カバーウェブ１９２を撓ませ、底カバー中央領域支柱１９０及び底カバー延長部（装置１００ａのため）を、下側チャンバー１４４内へと上方向に押させるため下方に押されるとき、下側チャンバーの体積は減少し、液体２５２の上方の下側チャンバー領域において高い空気圧力を引き起こすことが理解されよう。この高い空気圧力は、下側チャンバー１４４からオリフィスストッパー１６０を超えて上側チャンバー１４２内への液体２５２の流出を引き起こすのに十分であり、上側チャンバー液体２５４を汚染させる可能性がある。内部の圧力を解放し、これによって液体２５２がオリフィスストッパー１６０を超えて流出することを防止するため、下側チャンバー１４４から空気を排気するための装置ボディ孔１２０が設けられている。
【００５６】
しかし、幾つかの状況下では、オリフィスストッパー１６０（及びその変形態様）が上述のようにオリフィス１４６内に係止された後、下側チャンバー１４４内の尿２５２へのアクセスを有することが必要となり又は望ましくなり得る。例えば、個人の尿内におけるドラッグをテストするとき、個人の尿標本の予約又は第２の部分を、勝手にいじくれない態様で、保存しておくことが必要となり又は法律的に要求され得る。スポットのドラッグテストが議論され実証が要求されるならば、スポットのドラッグテストは上側チャンバー１４２から得られた尿２５４に関して実行されることになり、第２の尿２５２の部分が（上述したように）スポットドラッグテストの結果を実証することが必要とされるまで、下側チャンバー１４４内に固定された状態で保持される。
【００５７】
しかし、オリフィスストッパー１６０が上述のようにオリフィス１４６内に係止された後では、ストッパーは、装置１００ａを破壊すること無くオリフィスから解除することはできなくなる。従って、二重チャンバー装置１００ａ（及び、本願で説明された他の二重チャンバー装置の変形態様）のドラッグテストの使用のために、図２５及び図２６で表されるように、下側チャンバー１４４の領域における装置ボディ１０２の外側壁１３８は、脱着可能な金属、又は、適所にタップされ熱的に密封されたハードプラスチック保護キャップ２６２によって覆われた自己密封式注射器アクセスポート２６０を内部に設置している。図２６に示されるように、保護キャップ２６２が取り外された後では、それは手で再装着することができず、これによって下側チャンバー１４４内で勝手にいじくれない標本を確保し、下側チャンバー１４４内の尿２５２が、既にアクセスされて尿のドラッグテストに悪影響を与えるような態様で処理されている可能性があるという視覚的表示を提供する。注射器針２６４は、ポート２６０を通して挿入され、装着された注射器２６６は、下側チャンバー１４４から、２次的なドラッグテストのため使用することができる一定量の尿２５２を引き出すため使用される。
（第２の変形に係る二重チャンバー装置１００ｂ）
本願発明者らは、オリフィスストッパー１６０上に当たる装置上側チャンバー１４２への液体２５０の強い急流（例えば、女性患者から放出された尿）は、ストッパーがオリフィス１４６内に浮上したとき適切なオリフィス密封が妨げられる程度にストッパーの栓止めを引き起こし得ると判定した。その結果、本発明の範囲内には、図２７乃至図３１に示されるように、第２の変形に係る二重チャンバー装置１００ｂの一部を構成する流れ逸れ衛生バリアアダプター２７０を提供することが含まれている。
【００５８】
流れ逸れ衛生バリアアダプター２７０を備えて示されているものは、周囲の取り付けリング２７２と、等間隔に隔てられた細長く下方に角度をなしたビーム２７６（そのようなビームが４つ示されている）により取り付けリングから支持されている中央ドーム２７４と、である。ハンドル取り付け部品１１２ａは、ハンドル１１０を収容するため取り付けリング２７２に固定されている。
【００５９】
図２９に示されるように、流れ逸れ衛生バリアアダプター２７０が装置ボディ１０２ａの上側エッジ上にパチンと嵌合されるとき、中央ドーム２７４は、オリフィス１４６及びストッパー１６０の上方に直接配置される。図示のように、導入された尿の流れ２５０（破線で示されている）は、ドーム２７４の回りに下方に流れ、横断壁１４０に至り、ストッパー１６０の側面領域へと下方に流れ落ちる。これによって、液体の流れは、ストッパーに沿って有効に減少する。
【００６０】
第２の変形に係る二重チャンバー装置１００ｂが図３１に表されており、ハンドル１１０が逸れ器取り付けリング２７２に形成された取り付け部品１１２ｂに脱着可能に取り付けられていることが示されている。衛生バリアアダプター２７０にハンドル１１０が取り付けられ、装置ボディ１０２ａにハンドル取り付け部品１１２が取り付けられていないことを除いて、二重チャンバー装置１００ｂは、上述した装置１００ａと同じであり、装置１００ａの上述した態様で内部が構成され、装置１００ａの上述した態様で作働する。液体がボディ１０２ａに放出された後、ハンドル１１０が取り付けられたアダプター２７０は、装置ボディ１０２ａから取り外され、廃棄される。アダプター２７０は、患者の不潔な外側身体領域と接触することで意図せずに汚染されることからボディ１０２ａの殺菌性を維持するため衛生バリアを提供する。トップカバー１０４は、引き続く尿分析のため装置１００ｂを密封するため装置ボディ１０２ａにねじ込まれる。
（第３の変形に係る二重チャンバー装置１００ｃ）
オリフィスストッパー１６０のオリフィス１４６内へのより自動的な態様での係止（装置１００、１００ａ及び１００ｂに関して上述されたように）は、少なくとも幾つかの状況では、底カバーウェブ１９２をその中心超え係止状態へと撓ませるため二重チャンバー装置１００又は１００ａを手で押下することを要求する上述した機械的係止方法よりも更に望ましいことが理解されよう。
【００６１】
この目的のため、図３２乃至図３８には、第３の変形に係る二重チャンバー装置１００ｃ（図３５乃至図３７）のためのスプリング式オリフィスストッパー係止アッセンブリ２８０が示されている。図示のように、係止アッセンブリ２８０は、比較的小さい、好ましくは円柱状のハウジング２８２を備え、該ハウジングは、頂部２８６と、円柱側壁２９９と、を備える。ハウジングベース部２９０は、側壁２８８の底部へと上方にねじ込まれている（図３２乃至３３）。ハウジング２８２は、約０．３１インチであり得る高さＨ４を有する。
【００６２】
図３３で最も良く示されるように、比較的大きい中央に配置されたアパーチャ２９２が、ハウジング頂部２８６に形成されている。円錐形状の圧縮スプリング２９４は、ハウジングベース部２９０に固定された円形部材２９６によりハウジング２８２の内部に保持され、剛性で水性液体により軟化可能なスプリング保持ディスク２９８によりその圧縮された状態に維持されている。このディスクは、例えば、ボール紙等の適切な繊維材料から形成することができ、圧縮されたスプリング２９４の上方に配置され、頂部アパーチャ２９２の直接下方に配置される。
【００６３】
約０．６３インチであり得る直径Ｄ１４を有するハウジングベース部２９０には、中央液体入口アパーチャ３００が形成され、複数の小さい短脚部３０２を有する。これらの短脚部３０２は、スプリング保持ディスク２９８を軟化させ、スプリング２９４の圧縮を解放するため、装置底カバー１０６ａから上方向に係止アッセンブリ２８０を隔て、下側チャンバー１４４内に収集された液体（尿）がベースアパーチャ３００を介してハウジング２８２に入ることができるようにしている。空気排気口３０４は、ハウジング側壁２８８内に提供されている。ハウジングベース部２９０をハウジング側壁２８８にねじ込むことを容易にするため、ねじドライバーブレードを受け入れるようにベース下側表面３０８（図３４）内に溝３０６が形成されている。
【００６４】
図３５乃至図３７に縦断面で示されるように、第３の変形に係る二重チャンバー装置１００ｃは、上述したスプリング式オリフィスストッパー係止アッセンブリ２８０を組み込んでいる。二重チャンバー装置１００ｃを更に構成するべく示されているものは、装置ボディ１０２ｂ、底カバー１０６ａ、オリフィスストッパー１６０ａ、フロート１８０及びハンドル１１０である。二重チャンバー装置１００ｃは、以下で述べる理由のため、底カバー係止リング１０８を不必要なものとして無くしている。
【００６５】
装置ボディ１０２ｂは、下側ねじ切り領域１３２ａが、底カバー１０６ａのねじ込み可能な取り付けのため装置ボディの下側端部の直接上方に形成されていることを除いて、上述した装置ボディ１０２と全ての点で同一なものとして示されている。
【００６６】
オリフィスストッパー１６０ａは、垂れ下がりコラム１７０ａが図７及び図８に示されたコラム１７０より短く、下側端部３１０で閉鎖されていることを除いて、上述されたオリフィスストッパー１６０と全ての点で同一である。底カバー１６ａは、環状ウェブ１９２が無くされて、ベース部１９４ａが全体的に平坦で装置ボディ１０２ｂ全体を横切って延在することを可能にし、周囲内側ねじ切り取り付け領域３１２を有して形成されていることを除いて、上述した底カバー１０６（図１３乃至図１７）に類似している。この周囲内側ねじ切り取り付け領域３１２は、二重チャンバー装置１００ｃの組み立て時に装置ボディねじ切り領域１３２ａと嵌合する。
【００６７】
図３５乃至図３７に示されるように、圧縮されたスプリングオリフィスストッパー係止アッセンブリ２８０は、コラム２０８ａの内部で、オリフィスストッパー閉鎖下側端部又は底部３１０の直接下方に底カバー１０６ａの上側表面３１８に取り付けられている。コラム２０８ａは、係止アッセンブリ２８０及びディスク２９８への水性液体のアクセスを可能にするため複数の垂直スリット（図示せず）を有して形成されている。
【００６８】
図３５に表される、二重チャンバー装置１００ｃの使用前状態では、オリフィスストッパー１６０ａは、係止アッセンブリハウジング２８２の頂部２８６上に載っており、フロート１８０は、底カバー上側表面３１８上に載っている。
【００６９】
図３５に対応するが、二重チャンバー装置１００ｃの引き続く作動又は使用段階を表す図３６に表されるように、オリフィスストッパー１６０ａがオリフィス１４６との密封係合状態へと上方に浮上し、上側チャンバー１４２が続いて液体（尿）１５４で部分的に充填される範囲で、液体が、充填された下側チャンバー１４４を有する二重チャンバー装置１００ｃ内に導入されている。表されたこの時点では、スプリング保持ディスク２９８は、下側チャンバー１４４内の水性液体１５２によっては、係止スプリング２９４をその示された圧縮状態から解放する上で十分に軟化されていない。
【００７０】
好ましくは、水性液体（尿）中に少なくとも約２０秒間浸漬させることが、スプリング２９４を解放する上で十分にスプリング保持ディスク２９８を軟化させるため必要とされている。これは、下側チャンバー１４４内への液体流れを停止させるためオリフィスストッパー１６０ａがオリフィス１４６内へと上方向に浮上させるための十分な時間を可能にする。スプリング保持ディスク２９８のこの軟化は、スプリング２９４を解放させ、次に、スプリングは、ディスクをハウジング開口部２９６を介して上方向に押し上げ、オリフィスストッパー１６０を、オリフィス１４６との緊密な密封関係へと上方向に更に押し上げるように膨張する。このとき、ストッパーシール部２１６がオリフィスリング１４８の下側領域に対して密封した関係で押しやられる。このプロセスは、図３７に示されるように、ストッパー係止ビード１６６をオリフィス係止凹部１５２内に掛かり止めし、ストッパーをオリフィス内に係止して、上側チャンバー１４２及び下側チャンバー１４４の間で液体漏れが生じないことを確実にする。図３８は、スプリング式のオリフィスストッパー係止アッセンブリ１８０の上述した動作を表した図３７の領域３８の拡大図である。
【００７１】
オリフィスストッパー係止アッセンブリ２８０によるオリフィスストッパー１６０ａのオリフィス１４６内への上述した係止は、完全に自動的になされ、手操作の介入を必要とすること無く、装置ボディの下側チャンバー１４４を充填する液体（尿）１５４だけに応答して働くことが理解されよう。
（第４の変形に係る二重チャンバー装置１００ｄ）
第４の二重チャンバー装置１００ｄが図３９乃至図４０に表されており、該装置は、上述したオリフィスストッパー１６０ａのオリフィス１４６内への自動的な係止を提供するため非常に膨張可能で親水性の材料でできた一定量又は一要素のカプセル又は要素３３０を利用し、当該プロセスは、他の点では、スプリング式のオリフィスストッパー係止アッセンブリ２８０（図３５乃至図３８）に関して上述したものに類似しており、比較可能である。
【００７２】
図３９の使用前の縦断面図に示されるように、膨張可能な親水性材料カプセル又は要素３３０は、底カバー１０６ａの上方で、横ストッパー閉鎖部材３３２と接触した状態でオリフィスストッパーコラム１７０内に配置されている。オリフィスストッパーコラム１６８ａは、親水性材料カプセル３３０上に載っており、フロート１８０は、底カバー１０６ａの底カバー上側表面３１８上に載っている。
【００７３】
図４０（図３９に対応する）の使用後の縦断面に表されているように、水性液体（尿）２５２は、下側チャンバー１４４を充填し、液体は、コラム２０８ａ内の上述した開口部を通って流れ、親水性材料カプセル３３０と接触して材料を非常に膨張させ（ふくれあがらせ）、これによって、オリフィスストッパー１６０をオリフィス１４６との密封関係へと上方にオリフィスストッパー１６０を押すようにストッパー底部３１０上に上向きの力を発揮し、このときストッパーシール部２１６がオリフィスリング１４８の下側領域に対して密封関係に押しやられた状態となる。当該プロセスは、ストッパー係止ビード１６６をオリフィス係止凹部１５２へと掛かり止めし、これにより、ストッパーをオリフィス内に係止し、上側チャンバー１４２と下側チャンバー１４４との間に液体漏れが生じないことを確実にする。
【００７４】
再び、スプリング型式のオリフィスストッパー係止アッセンブリ２８０の場合のように、膨張可能な親水性材料カプセル３３０の使用は、手の操作介入を要すること無く、装置ボディ下側チャンバー１４４を充填する液体（尿）１５４のみに応答した、オリフィスストッパー１６０ｂのオリフィス１４６内への自動的係止を提供する。
（第５の変形に係る二重チャンバー装置１００ｅ）
第５の変形に係る二重チャンバー装置１００ｅが図４１乃至図４３に表されている。二重チャンバー１００ｅは、ガス発生アッセンブリ３４０を利用する。該アッセンブリは、オリフィスストッパー１６０ｂのオリフィス１４６内への自動的係止を達成するため円柱錠剤ハウジング３４４内に配置された、水性液体活動型の沸騰性の錠剤又は要素３４２を含んでいる。二重チャンバー装置１００ｅは、上述した二重チャンバー装置１００ｃ及び１００ｄの両方に多くの点で類似している。
【００７５】
図４１乃至図４４の縦断面図に示されるように、ガス発生アッセンブリ３４０は、二重チャンバー装置１００ｅにおいてオリフィスストッパーコラム１６８ｂ内に設置され、底カバー上側表面３１８に取り付けられる。図４１の使用前状態に示されるように、オリフィスストッパーコラム１６８ｂは、フロート１８０であるように、底カバー上側表面３１８に載っている。
【００７６】
図４２に詳細に示されるように、ガス発生アッセンブリ錠剤ハウジング３４４は、頂部３５０と、円柱側壁３５２と、底部３５４と、を備える。ハウジング底部３５４は、ガス発生アッセンブリ３４０を装置底カバー上側表面３１８から上方向に隔てる複数の小さい短脚部３５６を有して形成され、それにより、下側チャンバー１４４内に収集された液体は、沸騰性錠剤３４２を活動させるため、底カバーコラム２０８ａの上述したスリットを通って、ハウジング底部３５４に形成された孔３５８を通って入ることができる。孔３６０は、発生したガス気泡３６２がハウジング３４４から逃げることを可能にするためハウジング頂部３５０内に提供される（図４３及び図４４）。沸騰性錠剤３４２の初期の活動中にハウジング３４４から空気が逃げることを可能にするため孔３６６がハウジング側壁３５２内に形成されている。
【００７７】
図４３の縦断面図に表されるように、ガス発生器３４０から立ち上がったガス気泡３６２は、ストッパーシール部２１６がオリフィスリング１４８の下側領域に対して密封関係に押しやられた状態でオリフィスストッパー１６０をオリフィス１４６との密封関係へと上方に押す。当該プロセスは、ストッパー係止ビード１６６をオリフィス係止凹部１５２へと掛かり止めし、これにより、ストッパーをオリフィス内に係止し、上側チャンバー１４２と下側チャンバー１４４との間に液体漏れが生じないことを確実にする。上述した二重チャンバー装置１００ｃ及び１００ｄと同様に、下側チャンバー１４４が水性液体（尿）１５２で充填されたとき、手による操作が介入することなく、オリフィスストッパー１６０ｂのオリフィス１４６内への、発生したガスの係止が達成される。
（第６の変形に係る二重チャンバー装置１００ｆ）
図４５乃至図４９に示される、第６の変形に係る二重チャンバー装置１００ｆは、装置ボディ１０２ｂと、オリフィスストッパー１６０ｃと、底カバー１０６ｂと、オリフィスストッパー押しベース部３８０と、底カバー及びストッパー押しベース部の間に配置された、非常に柔らかい取り外し可能なスポンジ要素３８２と、を備える。
【００７８】
底カバー１０６ｂを備えて図４５及び図４７に示されたものは、底部で開放し、より小さい直径の上側に延在する上側管状領域３８６で終わっている、中心に配置された上側に延在する下側管状部分３８４である。他の点では、底カバー１０６ｂは、上述した底カバー１０６ａと同じである。
【００７９】
オリフィスストッパー１６０ｃは、底カバー上側管状領域３８６内にしっかりと適合する、細長い中央で垂れ下がった管状押しピンガイド３８８を有して形成されている。オリフィスストッパー１６０ｃは、二重チャンバー装置１００ｆの使用前状態で、底カバー下側管状領域３８４（図４５）の上側端部領域３９０上に載っている。他の点では、オリフィスストッパー１６０ｃは、上述したオリフィスストッパー１６０ａと実質的に同じである。
【００８０】
押しベース部３８０は、底カバー下側管状領域３８４内にしっかりと嵌合した上側延在コラム３９４が中央に配置されたところの平坦な底部３９２を有して形成されている。コラム３９４の頂部３９６から上方向に延在しているものは、オリフィスストッパーピンガイド３８８を通してしっかりと嵌合する関係で上方向に延在する、細長いオリフィスストッパー押しピン４００である。図４５に示されるように、押しベースコラム頂部３９６の頂部３９６は、底カバー下側管状領域３８４の上側端部領域３９０の略下方に間隔を隔てている。押しベース部３８０は、スポンジ要素３８２が収容されているところの、コラム３９４を取り囲む凹井戸領域４０２を有して形成されている。凹領域は、図４７に示されるように、底カバー１０６ｂに上方にスナップするように構成された周囲装着フランジ４０６により更に形成されている。周囲装着フランジ４０６は、後述されるように、押しベースからスポンジ要素３８２を取り出すため適切な空間を提供するため、押しベース部３８０の回りに約２７０度に亘って延在する（図２９）。
【００８１】
図４６に示されるように、スポンジ要素３８２は、コラム３９４の回りに緩く嵌合するように、約０．０８インチであり得る中央直径Ｄ１５と、約０．４インチであり得る高さＨ５と、を有する。相対的に幅広い隙間４１０は、押しベース凹領域４０２からの要素の取り出しを可能にするためスポンジ要素３８２に形成されている。薄い突出した指タブ４１２は、隙間４１０の反対側でスポンジ要素３８２に連結されている。液体（尿）が装置１００ｆ内に導入される前に、スポンジ要素３８２は、押しベース部の凹部４０２から取り出され、廃棄される。コラム３９４と管状領域３８４との間の摩擦は、押しベース部３８０をその前スポンジ取り出し条件で維持する。液体（尿）充填装置１００ｆが、後述されるように、表面１１上に引き続いて設定される。
【００８２】
二重チャンバー装置１００ｆの使用は、図４７乃至図４８から明らかである。液体（尿）が装置下側チャンバー１４４を充填したとき、オリフィスストッパー１６０ｃがオリフィス１４６との密封関係へと上方向に浮上し、これに対し、液体（尿）は、装置上側チャンバー１４２内に収集される。液体１５２（尿）が下側チャンバー１４４内に収集され、液体（尿）１５４が表面２１１に設置された上側チャンバー１４２内に収集される。液体（尿）装置ボディ１０２ｂ内の液体１５２及び１５４の重量は、底カバー１０６ｂを備えた装置ボディに、押しベース凹部４０２へと下方に設定させ、これにより、ストッパーシール部２１６がオリフィスリング１４８の下側領域に対して密封関係に押しやられた状態で、オリフィスストッパー１６０をオリフィス１４６との緊密な密封関係へと上方にオリフィスストッパー１６０を押す態様で、押しピン４００がオリフィスストッパー１６０ｃを上方に押させるようにする。当該プロセスは、ストッパー係止ビード１６６をオリフィス係止凹部１５２内に掛かり止めする工程を備える。
【００８３】
装置ボディ１０２ｂのそのような下方への据え置きに引き続いて、カバー１０４は、装置ボディに設置され、装置１００ｆは、押しベース部３８０を底カバー１０６ｂ上に保持するため、押しベース周囲フランジ４０６が底カバー周囲部を超えてスナップ式に乗り上げさせるように表面２１１に下方へと手で押される。これは、ストッパー１６０ｃをオリフィス１４６内へと係止し、（注意を払っていないときでさえ）ストッパーがオリフィスから取り除かれること無く、上側チャンバー１４２及び下側チャンバー１４４の間でオリフィスストッパーを超えて液体（尿）１５２が漏れること無しに装置１００ｆを取り扱うことができる。
（第７の変形に係る二重チャンバー装置１００ｇ）
図５０乃至図５２に示された第７の変形に係る二重チャンバー装置１００ｇは、後述する態様でのオリフィスストッパー１６０ｄのオリフィス１４６内の磁気係止を提供する。図５０に示されるように、上述したオリフィスストッパー１６０ｂ（図４１）に対応する上述したオリフィスストッパー１６０ｄは、ストッパースカート部１６４の下側表面４２２に該表面の回りに取り付けられた磁石部材４２０を有して形成される。磁石部材４２０は、単一部品の環状磁石を構成し、２以上の磁石セグメントを備えていてもよい。対応する磁石部材４２４は、ストッパー磁石部材４２０の上方に間隔を隔てたオリフィス係止リング１５０の外側表面４２６に取り付けられている。
【００８４】
磁石部材４２４及び４２０を装置１００ｇの使用前に分離された状態に維持するため、係止リング磁石部材４２４とオリフィスストッパー１６０ｄとの間に、取り外し可能な軟型式のスポンジスペーサー４３０が、二重チャンバー装置ボディ１０２ｂ内に最初に設置された状態で図５０に示されている。成形スペーサー４３０は、円錐状に形成された分離領域４３２であり、該領域には、指タブ４３４が連結されている。最初に、オリフィスストッパー１６０ｄは、フロート部１８０が載っているように、底カバー１０６ａに載っている。
【００８５】
図５２に表されるように、スペーサー４３０が装置ボディ１０２ｂから取り外され、オリフィスストッパー１６０ｄが下側チャンバー１４２内に収集された液体（尿）によりオリフィス１４６との係合状態へと上方に浮上するとき、磁石部材４２４及び４２０が互いに引きつけ合い、これにより、ストッパーシール部２１６がオリフィスリング１４８の下側領域に対して密封関係に押しやられた状態で、且つ、ストッパー係止ビード１６６がオリフィス係止凹部１５２内に掛かり止めされた状態で、オリフィスストッパーをオリフィス１４６内にしっかりと引っ張り、これにより、ストッパーをオリフィス内に係止し、上側チャンバー１４２と下側チャンバー１４４との間に液体漏れが生じないことを確実にする。
（第８の変形に係る二重チャンバー装置１００ｈ）
図５３乃至図５６に示される第８の変形に係る二重チャンバー装置１００ｈは、後述される態様で液体活性化セメントプロセスによるオリフィスストッパー１６０のオリフィス１４６内への係止を提供する。図５３の使用前状態に示されるように、二重チャンバー装置１００ｈは、装置ボディ１０２ｃ、オリフィスストッパー１６０、フロート部１８０、オリフィス、底カバー１０６ａを備える。オリフィスストッパー１６０及びフロート部１８０は、オリフィス１４６の下方の底カバー１０６ａに載っている状態で示されている。水性液体（尿）作動式セメント（接着剤）のコーティング４４０は、オリフィスリング１４８の内側表面４４２に及び該表面の回りに塗布され（図５４）、可撓性のある取り外し可能な「レリーズ」４４４により最初に保護されている。レリーズは、ワックス紙又はプラスチック材料から作ることができる。
【００８６】
図５５及び図５６の使用後の状態に示されるように、「レリーズ」４４４は、オリフィスリング１４８から引き抜かれ、セメントコーティング４４０を、装置ボディ１０２ｂ内に流れる液体（尿）にさらして、活性化させる。液体２５２が下側チャンバー１４４内に収集されるとき、オリフィスストッパー１６０は、オリフィス１４６との密封係合状態へと上方向に浮上され、これによって、活性化されたセメントコーティング４４０と接触し、オリフィスストッパーをオリフィスリング１４８内に固めさせる。これは、オリフィスストパー１６０を永久的に係止し、オリフィス１４８内に強固に密封させ、これにより、二重チャンバー装置１００ｈの引き続く取り扱い又は誤った取り扱いに関係無く、上側チャンバー１４２及び下側チャンバー１４４の間の液体２５２の漏れを防止する。
（一例としての二重チャンバー装置１００ａの使用の要約）
一例としての二重チャンバー装置１００ａの操作上の使用形態は、図５７Ａ乃至図５７Ｈに各工程で表されている。不潔又はあまりきれいでない解剖学的部分を持った患者が装置１００ａを使用するとき、より早期の前流れ尿の体積（４０乃至７０ｍｌ）は、かなり有用なものとしてみなされる。それは、尿道から装置１００ａへと延在する外部尿生殖器管を洗浄し、すすいできれいにさせるからである。そのような洗浄及びすすぎ機構は、これと同じ管を通って二重チャンバー装置１００ａ内へと流れる、引き続く中間点流れサンプルのためのよりきれいな管を形成する。かくして、（図２２乃至図２４を参照して〜ん二重チャンバー装置１００ａは、より早期にすすがれた、汚染前流れ尿を捕捉し、該尿を別個の下側チャンバー１４４内に孤立させる能力を持っている。二重チャンバー装置１００ａは、より後のよりきれいな中間点流れサンプルを、オリフィスストッパー１６０により下側チャンバー１４４から分離された上側チャンバー１４２内に、収集し続ける。この分離及び孤立化は、二重チャンバー装置１００ａにおいて汚染された前流れサンプルときれいな中間点流れサンプルとの混合を完全に無くすことができる。（前記したことは、上述した全ての二重チャンバー装置１００及び１００ｂ〜１００ｈ）に当てはまる）。
【００８７】
図５７Ａは、二重チャンバー装置１００ａ（ハンドル１１０が除かれている）をその組み立てられた初期の前使用状態で表し、上述された図２０に略対応している。装置ボディ１０２は、トップカバー１０４により閉じられ、次に、殺菌済みというマーク付きの接着密封ストリップ４５０により密封される。これは、本装置が、殺菌状態にあることを示している。底カバー１０６（図示せず）は、係止リング１０８により保持され、底延長部材２２０上に載っている。
【００８８】
図５７Ｂでは、ハンドル１１０は、接着密封ストリップ４５０がなおまだ当該箇所に
ある状態で、装置ボディ設備品１１２に上向きに嵌合されて示されている。ハンドル１１０は、装置ボディ取り付け部品１１２に完全に収容された状態で、図５７Ｃに示されている。図５７Ｄは、接着密封ストリップ４５０を、取り外されるプロセスで示し、トップカバー１０４を、装置ボディ１０２からねじって外したプロセスで示している。
【００８９】
図５７Ｅは、装置ボディ１０２の上側チャンバー１４２に放出された液体（尿）２５０を表し、図２２に対応している。この図では示されていないが、非常に汚染された前流れ尿は、下側チャンバー１４４と直接上方に着座した上側チャンバー１４２との間に配置されたオリフィス１４６を通って下側チャンバー１４４内に最初に流れ込む。この形態は漏刻に似ている。前流れ尿が下側チャンバー１４４を溢れさせるや否や、それは、オリフィスストッパースカート領域１６４の下方で空気ポケットを形成する。下側チャンバー１４４内で漸次的に増大された流体高さは、オリフィスストッパー密封領域１６２を持ち上げ、該領域をオリフィス１４６に向かって差し向け、下側チャンバーを塞ぐ。これと同時に、安定化フロート部１８０は、浮力によって浮上し、更に、オリフィスストッパー１６０を持ち上げ、該ストッパーをオリフィス１４６に向かってより強制的に及びより急激に差し向け、オリフィスを閉鎖する。前流れサンプルが（４０乃至７０ｍｌ）の所定の体積に達したとき、オリフィスストッパー密封領域１６４は、既にオリフィス１４６を通して最大限上昇し、ストッパー密封領域とオリフィスリング１４８との間の緊密な密封接触を生成し、下側チャンバー１４４内への更なる液体（尿）の流入を遮断する。
【００９０】
図５７Ｆは、トップカバーが、装置ボディ２５４上にその閉鎖のため正に設置されようとしている状態で、液体（尿）２５４で充填された装置ボディ上側チャンバー１４２を示している。トップカバー１０４は、該トップカバーが装置ボディにねじ込まれている間にハンドル１１０を使用して装置ボディをしっかりと逆回転させて装置ボディ１０２にねじ込まれる。
【００９１】
図５７Ｇは、底カバーウェブ１９２（図示せず）をオリフィスストッパー係止状態（図２４に対応する）へと撓ませるため表面２１１上に下方に押圧される液体（尿）収容装置１００ａを示している。最終的に、図５７Ｈは、底カバー延長部材２２０が装置ボディ１０２内に上方に押しやられたその使用後の状態にある二重チャンバー装置１００ａを示しており、赤色の延長部材がもはや目に見えなくなっている（図２４に対応する）。
【００９２】
前記のことに関して、装置ボディ１０２ａ〜１０２ｄ、ハンドル１１０、オリフィスストパー１６０及び１６０ａ〜ｄ、トップカバー１０４、底カバー係止リング１０８、底カバー１０６ａ〜ｂ、底カバー延長部２２０、第２の底カバー３８０、及び、衛生バリアアダプター２７０は、各々が剛性プラスチック材料、例えば、装置ボディ１０２のために好ましいものとして上記に開示されたような高密度のポリエチレンプラスチックから構成されるのが好ましい。
【００９３】
かくして、本発明が有益なものとして使用することができる態様を示す目的のため、液体サンプル（詳しくは、尿サンプル）を収集し格納するための二重チャンバーと、その幾つかの変形態様が上記に説明された。しかし、本発明は、上記例に限定されるものではなく、添付された請求の範囲の範囲及び精神から逸脱すること無く当業者に想到し得る全ての変形及び変更を網羅するものである。
【図面の簡単な説明】
【００９４】
【図１】図１は、本発明に係る２種液体受け取り収容装置の外面図であり、取り外し可能なトップカバーと、係止リングを備えた底カバーと、装置ボディに脱着可能に取り付けられた人間工学的なハンドルと、を備える装置ボディを示し、該ボディは、ハンドルボディ取り付け領域に隣接して小さい圧力解放孔を有して示されている。
【図２】図２は、図１の封じ込め装置の頂部平面図であり、トップカバーの特徴、及び、装置ボディに脱着可能に取り付けられたハンドルを示す。
【図３】図３は、図１及び２のハンドルの斜視図であり、ハンドルを装置ボディに脱着可能に取り付けることができるＴ字スロット要素を下側端部に示している。
【図４】図４は、図３のハンドルのＴ字スロット要素を受け入れ、これによりハンドルの装置への脱着可能な取り付けを可能にするため収集装置ボディ上に形成された取り付け要素の詳細な斜視図である。
【図５】図５は、トップカバーが取り外された状態の装置ボディの頂面図であって、ボディを２つのチャンバーに分割する横方向壁を示し、該横方向壁は２つのチャンバーの間に円形入口オリフィスを有して示されている。
【図６】図６は、図５のライン６−６に沿って取られた縦断面図であり、略漏斗形状に形成され且つ装置ボディを上側及び下側の液体受け取り保持チャンバーへと分割する横断内側壁を示し、横断内側壁オリフィスの回りに配置された下側が切り取られた環状の係止フランジを示している。
【図６ａ】図６ａは、図５のライン６ａ−６ａに沿って取られた縦断面図であり、略漏斗形状に形成され且つ装置ボディを上側及び下側の液体受け取り保持チャンバーへと分割する横方向内側壁を示し、横断内側壁オリフィスの回りに配置された下側が切り取られた環状の係止フランジを示し、下側チャンバーの上側領域に装置ボディ壁を通して形成された圧力解放孔を示している。
【図７】図７は、横方向内側壁のオリフィスのためのストッパーの前面図であり、上側の円錐形状オリフィス閉鎖領域と、垂れ下がった案内コラムを有する下側に広がったスカート領域と、を示している。
【図８】図８は、図７のライン８−８に沿って取られた縦断面図であり、オリフィスストッパーの内部構造を示している。
【図９】図９は、図７のライン９−９に沿って上方から見た底面図であり、オリフィスストッパーの内部構造、特に、ストッパーの上側オリフィス閉鎖領域を硬化させ、強化するためのリブを示している。
【図１０】図１０は、図８の断面に示されたオリフィスストッパーの拡がったスカート領域内へと上方に嵌合した、環状の超軽量フロートの側面図である。
【図１１】図１１は、図１０の環状フロートの頂面図であり、フロートが図７乃至図９に示されたオリフィスストッパー支持部と押しコラムとの回りに緩く嵌合することを可能にする中央開口部を示している。
【図１２】図１２は、図１１のライン１２−１２に沿って取られた、横断面図であり、フロートの内部構成を示している。
【図１３】図１３は、図１の装置ボディの下側ボディの頂面図であり、構造的特徴を示している。
【図１４】図１４は、図１３のライン１４−１４に沿って取られた横断面図であり、薄い可撓性の環状スプリング作用ウェブにより取り囲まれた底部カバー平坦ベース部を示し、該ウェブはその通常の撓んでいない状態で示され、該底部カバーは、一対の僅かな間隔を隔てた環状直立フランジの対で終わっており、該フランジを持ち手、底部カバーは装置ボディの底部に取り付けられ、図７〜図９のオリフィスストッパーガイドコラムの回りに嵌合する、分割式の上方延在押しコラムを示している。
【図１５】図１５は、図１３及び図１４の底部カバーの側面図であり、環状ウェブをその撓んでいない状態で示している。
【図１６】図１６は、図１３〜図１５の底部カバーの側面図であり、そのオリフィスストッパーを横内側壁オリフィス内に上方きっちりと押すことに関連してその下方に撓んだ状態で環状ウェブを示している。
【図１７】図１７は、図１４に類似した横断面図であるが、環状ウェブをその下方に撓ませ、これにより、底部カバーがコラムを上方に押した状態を示している。
【図１８】図１８は、第１の変形に係る二重チャンバー装置の分解外面図であり、装置ボディ、そのトップカバー、ハンドル、オリフィスストッパー、環状フロート、環状ウェブがその撓んでいない状態にある底カバー、及び、底カバー係止リングを示し、第１の時間のための円形底カバー延長部を示し、更に、トップカバー、底部カバー係止リング及びオリフィスストッパー密封リングを更に示している。
【図１９】図１９は、底カバー係止リングの頂面図であり、その一般的な特徴を示している。
【図２０】図２０は、トップカバーが装置ボディに取り付けられた使用後の構成の完全に組み立てられた第１の変形態様に係る２種サンプル受け取り及び収容装置の外面図であり、硬い平坦表面上に載っている底カバーベース延長部を示している。
【図２１】図２１は、図１８及び図２０の完全に組み立てられた第１の変形態様に係る２種サンプル受け取り及び収容装置の外面図であり、該装置は、オリフィスストッパーを内側壁オリフィスを備えた密封構成部内へ上方に押しやるため、底カバーベース部及び延長部を装置ボディ内へと上方に押しやる態様で硬い平坦表面上に下方に押された状態で示されている。
【図２２】図２２は、図１８及び図２０〜２１の第１の変形に係る装置のその組み立てられた使用前であるがトップカバーが取り外された状態での縦断面図であり、使用準備完了した装置を、オリフィスストッパーの内部領域が底カバー押しコラムの頂部に載り、環状フロートが底カバーウェブに載っている状態で示し、装置ボディの下側領域に装着された底カバー係止リングを示し、更に、底カバーベース領域に装着され、組み立てられた装置を平坦な表面上で支持する底ベース延長部を示している。
【図２３】図２３は、図２２に類似した縦断面図であるが、液体の流れが第１の態様に係る装置の上側チャンバー内へと放出され、ストッパーの上側オリフィス密封領域が上側及び下側のチャンバーの間でオリフィスと係合し、下側チャンバー内への液体の流れを停止させ、２つのチャンバーの間の液体の漏れを防止するようになるまで、下側チャンバーが、環状フロートがストッパーを上方に押させる高さにまで最初に充填された状態を示している。
【図２３ａ】図２３ａは、図２３に類似した縦断面図であるが、圧力解放孔を示すため切断されている。
【図２４】図２４は、図２３に類似した縦断面図であるが、液体で充填された上側チャンバーと装置ボディに取り付けられたトップカバーとを示し、底カバーウェブが底カバーベースを下側チャンバー内に上側に押す中心超え係止条件で底カバーウェブを撓ませるのに十分に平坦表面上に下方に押された装置が底カバーベース部を下側チャンバーへと上方に押し、これによって、ストッパーオリフィス密封領域を、オリフィス及びオリフィス係止フランジとの積極的に係止された係合状態へと押し、これによって、２つのチャンバーの間で液体漏れが発生することができなくさせることを示している。
【図２４ａ】図２４ａは、図２４に類似した縦断面図であるが、圧力出口孔を示すため切断されている。
【図２５】図２５は、図２４の装置ボディの変形に係る下側壁領域の部分断面図であり、下側液体収容チャンバー内に収容された液体への外部的なアクセスを可能にするように提供することができるキャップ付き皮下注射針の自己密封式ポートアッセンブリのボディ外側壁内の設置を示している。
【図２６】図２６は、図２５に類似した部分断面図であり、下側液体収容チャンバーから液体を抽出するため、キャップが付いていない自己密封式ポートアッセンブリを通って延在する皮下注射針を示す。
【図２７】図２７は、図１８乃至図２４に表されたものに類似した二重チャンバー装置の開放頂部に取り付けのため構成された、オプションの流れ逸れ器及び衛生バリア部材の頂部斜視図であり、４つのリブにより支持された中央ドーム形状液体分割器を示し、ストッパーがその意図したオリフィス密封係合に達したとき該液体分割器は、装置上側チャンバーに入る液体の強力な流れがオリフィスストッパー上に直接突き当たったり或いはそれを着座できなくさせることを防止し、更に、装置ハンドルを流れ分割器及び衛生バリア部材に脱着可能に取り付けることができる嵌合状態を示している。
【図２８】図２８は、図２７のオプションの流れ分割器の頂面図であり、その構成を示している。
【図２９】図２９は、図２６のオプションの流れ逸れ器の側面図であり、該側面図の構成を示すと共に、ストッパーの上側オリフィス密封領域に関連した液体逸れ器を示し、更に、傾斜横内側壁上への分割器ドームに亘った液体の流れの逸れを表している。
【図３０】図３０は、図２９に類似したオプションの流れ逸れ器の側面図であるが、表示された装置ボディの開放端部に脱着可能に取り付けられた液体逸れ器を示している。
【図３１】図３１は、第２の変形に係る二重チャンバー装置の図１８に類似した分解図であり、該装置には図２７乃至図３０の流れ逸れ器が着脱可能な取り付けのために配置されている。
【図３２】図３２は、自動スプリング負荷のオリフィスストッパー係止アッセンブリの頂面図であり、部分的に開放した頂部を有する円柱ハウジングを示し、液体軟化の圧縮されたスプリング保持要素が該部分的に開放した頂部の正に下方に配置されている。
【図３３】図３３は、図３２のライン３３−３３に沿って取られた縦断面図であり、円錐状に形成されたスプリングがハウジングの底部内に取り付けられ、スプリング保持要素により圧縮された状態で保持されていることを示し、更に、側部空気排気口及び底部液体入口を示している。
【図３４】図３４は、図３３のハウジングの底面図であり、液体入口を示し、ハウジングの側部への底部のねじ込み取り付けを援助するため設けられたスロット付き領域を示している。
【図３５】図３５は、図２２に類似した縦断面図であり、図３２〜図３４のスプリング負荷オリフィスストッパー係止アッセンブリを、オリフィスストッパーとの係合状態で第３の変形に係る二重チャンバー装置の下側チャンバー内に設置され、スプリング圧縮された状態で示し、スプリング負荷されたオリフィスストッパー係止アッセンブリは、ねじ止め式平坦底カバーに取り付けられた状態で示されており、オリフィスストッパーは、より短い垂れ下がり案内コラムを有することを除いて図７〜図９に示されたものに類似している。
【図３６】図３６は、図２４に類似し、図３６におおよそ対応した縦断面図であり、図３５の第３の変形に係る装置の下側及び上側チャンバー内に収容された液体を示し、オリフィスストッパーが上側及び下側チャンバーの間でオリフィスと係合した状態で上側に浮き上がった状態で示し、スプリング負荷オリフィスストッパー係止アッセンブリのスプリングをその圧縮状態で示している。
【図３７】図３７は、図３６に類似した縦断面図であるが、スプリング保持要素が下側チャンバー内の液体により劣化された後に解放されたスプリング負荷オリフィスストッパー係止アッセンブリのスプリングを示し、これにより該スプリングはオリフィスストッパーをオリフィス内へと上方にしっかりと押しやり、それを不意の脱落に対して保持する。
【図３８】図３８は、図３７のスプリング負荷オリフィスストッパー係止アッセンブリの解放されたスプリングの拡大図であり、圧縮したスプリングの力によりハウジング頂部開口部を通して上方に押され、これによりスプリングを解放する液体劣化スプリング保持要素を示している。
【図３９】図３９は、図２２及び図３５に略対応する第４の変形に係る二重チャンバー装置の縦断面図であり、オリフィスストッパーと接触した上側表面を有する膨張可能な親水性材料を含む底カバーの変形態様を示している。
【図４０】図４０は、図３９に類似した縦断面図であり、二重チャンバー装置の上側及び下側チャンバー内に含まれる液体を示し、オリフィスストッパーをオリフィスとしっかりと係止された係合状態へと上方に押している拡大した親水性材料を示している。
【図４１】図４１は、図３５に略対応する第５の二重チャンバー装置の縦断面図であり、水性液体活性化沸騰性錠剤を含むハウジングを備える底カバーを示している。
【図４２】図４２は、液体活性沸騰性錠剤を含むハウジングの拡大側面図であり、ハウジング内の、液体流入アパーチャ及びガス逃散開口部を示している。
【図４３】図４３は、図４１に類似した縦断面図であり、収容した液体を含む装置の上側及び下側チャンバーを示し、オリフィスとの密封係合状態へと上方に浮上され、下側チャンバー内の液体により接触されたとき液体活性錠剤により発生されたガスにより該オリフィス内へとしっかりと押しやられるオリフィスストッパーを示している。
【図４４】図４４は、液体活性沸騰性錠剤を含むハウジングの拡大図であり、該錠剤が装置の下側チャンバー内の液体により接触されたときガス泡を発生させた状態を示している。
【図４５】図４５は、第６の変形に係る二重チャンバー装置を示す図２２及び図３５に略対応する縦断面図であり、変形に係る底カバー及びこれに連係した変形に係るオリフィスストッパーを示し、直立オリフィスストッパー押しピンを有し、取り外し可能な非常に可撓性の高い分割リングスペーサーにより主要な底カバーから隔てられた２次的な底カバーを示している。
【図４６】図４６は、図４５の取り外し可能な可撓性分割リングスペーサーの斜視図であり、その一般的な形状及び構成を示している。
【図４７】図４７は、図２４及び図４５に略対応する縦断面図であり、収容した液体を含む二重チャンバー装置の下側及び上側のチャンバーを示し、液体収容装置の重量が２次的な底カバーを主要な底カバーとの接触状態へと上方に押すように移動された取り外し可能な可撓性分割リングスペーサーを示し、図示のストッパー押しピンがオリフィスストッパーをオリフィス内に上方にしっかりと押している。
【図４８】図４８は、第６の変形に係る二重チャンバー装置からのその除去の後における取り外し可能な可撓性分割リングスペーサーの側面図である。
【図４９】図４９は、図４５のライン４９−４９に沿って取られた横断面図であって、可撓性スペーサーが内部に設置された状態で２次的な底カバーの詳細を示している。
【図５０】図５０は、図２２、３５、３９及び４３に類似した縦断面図であって、ストッパーの拡がったスカート領域の下に設置され且つオリフィスに隣接した環状磁石の間で使用前分離を維持するためオリフィスストッパー及びオリフィスの間に取り外し可能に設置された可撓性スポンジ又は発泡部材を有する第７の変形に係る二重チャンバー装置を示している。
【図５１】図５１は、取り外された図５０のスポンジ又は発泡部材の破断斜視図であって、その概略的な構造を示している。
【図５２】図５２は、図５０に類似した縦断面図であり、取り外された可撓性スポンジ又は発泡部材を示し、オリフィスストッパーがオリフィスとの係合状態へと上方に浮かび上がり、オリフィスに隣接したストッパー上の磁石によりそのような係合状態に保持された状態にある、装置の上側及び下側チャンバー内に収容された液体を示している。
【図５３】図５３は、図５０に略対応する縦断面図であり、オリフィスの回りに塗布された液体活性化セメントを保護するためオリフィスストッパー及びオリフィスの間に取り外し可能に設置された可撓性ペーパー部材を有する第８の変形に係る二重チャンバー装置を示している。
【図５４】図５４は、オリフィスの回りの液体活性セメントの領域を覆う可撓性ペーパー部材の一部分を示す拡大図である。
【図５５】図５５は、図５３に類似した縦断面図であり、装置の上側及び下側チャンバーが液体を収容した状態で、取り外された可撓性ペーパー部材を示し、オリフィスとの密封係合状態へと上側に浮上され、オリフィスの回りの液体活性セメントによりオリフィス内に係止されたオリフィスストッパーを示している。
【図５６】図５６は、オリフィスの回りの液体活性セメントによりオリフィス内に係止されたオリフィスストッパーを示す、拡大図である。
【図５７Ａ】図５７は、図１９〜図２４の二重チャンバー装置の操作上の使用形態を示す多数の工程を表す一連の図であって、図５７Ａは、ハンドルがまだ取り付けられていないことを除いて図２０に表されたように組み立てられた二重チャンバー装置を示し、「殺菌済み」として装置を同定する殺菌明示テープで密封されたトップカバーを示している。
【図５７Ｂ】図５７は、図１９〜図２４の二重チャンバー装置の操作上の使用形態を示す多数の工程を表す一連の図であって、図５７Ｂは、ハンドルが２種装置ボディに正に取り付けられようとしている状態を表している。
【図５７Ｃ】図５７は、図１９〜図２４の二重チャンバー装置の操作上の使用形態を示す多数の工程を表す一連の図であって、図５７Ｃは、ハンドルが２種装置ボディに上方に取り付けられた状態を表している。
【図５７Ｄ】図５７は、図１９〜図２４の二重チャンバー装置の操作上の使用形態を示す多数の工程を表す一連の図であって、図５７Ｄは、トップカバーのテープが除去された状態を表している。
【図５７Ｅ】図５７は、図１９〜図２４の二重チャンバー装置の操作上の使用形態を示す多数の工程を表す一連の図であって、図５７Ｅは、トップカバーの除去の後、液体の流れが装置の上側チャンバー内に放出された状態を表している。
【図５７Ｆ】図５７は、図１９〜図２４の二重チャンバー装置の操作上の使用形態を示す多数の工程を表す一連の図であって、図５７Ｆは、液体が装置ボディ内に受け取られた後、トップカバーを設置した状態を表している。
【図５７Ｇ】図５７は、図１９〜図２４の二重チャンバー装置の操作上の使用形態を示す多数の工程を表す一連の図であって、図５７Ｇは、（図２４に示されるように）ストッパーをオリフィス内に係止するため二重チャンバー装置上に下方に押す最終的な工程を表している。
【図５７Ｈ】図５７は、図１９〜図２４の二重チャンバー装置の操作上の使用形態を示す多数の工程を表す一連の図であって、図５７Ｈは、二重チャンバーがその最終的な使用後の状態にあることを表している。
【図１】
2007527519.tif 000003
【図２】
2007527519.tif 000004
【図３】
2007527519.tif 000005
【図４】
2007527519.tif 000006
【図５】
2007527519.tif 000007
【図６】
2007527519.tif 000008
【図６ａ】
2007527519.tif 000009
【図７】
2007527519.tif 000010
【図８】
2007527519.tif 000011
【図９】
2007527519.tif 000012
【図１０】
2007527519.tif 000013
【図１１】
2007527519.tif 000014
【図１２】
2007527519.tif 000015
【図１３】
2007527519.tif 000016
【図１４】
2007527519.tif 000017
【図１５】
2007527519.tif 000018
【図１６】
2007527519.tif 000019
【図１７】
2007527519.tif 000020
【図１８】
2007527519.tif 000021
【図１９】
2007527519.tif 000022
【図２０】
2007527519.tif 000023
【図２１】
2007527519.tif 000024
【図２２】
2007527519.tif 000025
【図２３】
2007527519.tif 000026
【図２３ａ】
2007527519.tif 000027
【図２４】
2007527519.tif 000028
【図２４ａ】
2007527519.tif 000029
【図２５】
2007527519.tif 000030
【図２６】
2007527519.tif 000031
【図２７】
2007527519.tif 000032
【図２８】
2007527519.tif 000033
【図２９】
2007527519.tif 000034
【図３０】
2007527519.tif 000035
【図３１】
2007527519.tif 000036
【図３２】
2007527519.tif 000037
【図３３】
2007527519.tif 000038
【図３４】
2007527519.tif 000039
【図３５】
2007527519.tif 000040
【図３６】
2007527519.tif 000041
【図３７】
2007527519.tif 000042
【図３８】
2007527519.tif 000043
【図３９】
2007527519.tif 000044
【図４０】
2007527519.tif 000045
【図４１】
2007527519.tif 000046
【図４２】
2007527519.tif 000047
【図４３】
2007527519.tif 000048
【図４４】
2007527519.tif 000049
【図４５】
2007527519.tif 000050
【図４６】
2007527519.tif 000051
【図４７】
2007527519.tif 000052
【図４８】
2007527519.tif 000053
【図４９】
2007527519.tif 000054
【図５０】
2007527519.tif 000055
【図５１】
2007527519.tif 000056
【図５２】
2007527519.tif 000057
【図５３】
2007527519.tif 000058
【図５４】
2007527519.tif 000059
【図５５】
2007527519.tif 000060
【図５６】
2007527519.tif 000061
【図５７Ａ】
2007527519.tif 000062
【図５７Ｂ】
2007527519.tif 000063
【図５７Ｃ】
2007527519.tif 000064
【図５７Ｄ】
2007527519.tif 000065
【図５７Ｅ】
2007527519.tif 000066
【図５７Ｆ】
2007527519.tif 000067
【図５７Ｇ】
2007527519.tif 000068
【図５７Ｈ】
2007527519.tif 000069
【国際調査報告】
2007527519.tif 000070
2007527519.tif 000071